(57)【要約】【課題】通知情報を最適な表示場所かつ最適なタイミングで行なう情報通知方法等を提供する。【解決手段】ユーザの位置を特定する位置情報特定ステップと、管理情報に含まれる情報が予め定められた条件を満たし、かつ、位置情報特定ステップにおいて特定されたユーザの現在の位置が予め定められた位置である場合に、ユーザに対して通知情報の送信が必要と判断する判断ステップと、１以上の提示機器のうち通知情報を表示すべき提示機器を指定する提示機器指定ステップと、判断ステップにおいて通知情報の送信が必要と判断された場合に、特定されたユーザの位置に応じた内容で通知情報を生成する生成ステップと、機器指定ステップにおいて指定された提示機器に、前記生成ステップで生成された通知情報を送信する通信ステップと、を含む。【選択図】図３９
2015195023.tif 000002
【特許請求の範囲】
【請求項１】
管理情報を情報収集データベースに保持させる保持ステップと、
ユーザの位置を特定する位置情報特定ステップと、
前記情報収集データベースが保持する管理情報に含まれる情報が予め定められた条件を満たし、かつ、前記位置情報特定ステップにおいて特定された前記ユーザの現在の位置が予め定められた位置である場合に、前記ユーザに対して通知情報の送信が必要と判断する判断ステップと、
１以上の提示機器のうち前記通知情報を表示すべき提示機器を指定する提示機器指定ステップと、
前記判断ステップにおいて前記通知情報の送信が必要と判断された場合に、特定された前記ユーザの位置に応じた内容で前記通知情報を生成する生成ステップと、
前記機器指定ステップにおいて指定された提示機器に、前記生成ステップで生成された前記通知情報を送信する通信を行う通信ステップと、を含む、
情報通知方法。
【請求項２】
前記通信ステップでは、さらに、前記ユーザからの入力を受け付けて動作する複数の機器のうちの第１機器から、前記第１機器を一意に識別する第１機器情報と、前記第１機器の制御情報および前記第１機器の状態を示す状態情報の少なくとも一方の履歴を含む前記第１機器の第１履歴情報とを受信する通信を行い、
前記保持ステップでは、前記管理情報として、前記通信ステップにおいて受信した前記第１機器情報と前記第１履歴情報とを関連付けて、前記情報収集データベースに保持させ、
前記判断ステップでは、前記管理情報に保持された前記第１履歴情報に含まれる情報が予め定められた条件を満たし、かつ、特定された前記ユーザの位置が予め定められた位置である場合に、前記通知情報の送信が必要と判断する、
請求項１に記載の情報通知方法。
【請求項３】
前記第１機器が電動自転車である場合、
前記第１履歴情報に含まれる情報は、前記第１機器の電池残量の値であり、
前記予め定められた条件は、前記第１機器の電池残量の値が前記第１機器に充電の必要な予め定められた値以下であることであり、
前記予め定められた位置は、前記第１機器が置かれている前記ユーザの住居内または前記住居周辺である、
請求項２に記載の情報通知方法。
【請求項４】
前記予め定められた位置は、前記住居の玄関である、
請求項３に記載の情報通知方法。
【請求項５】
前記位置情報特定ステップでは、前記ユーザの住居の玄関の鍵が操作された操作履歴または前記玄関の照明が操作された操作履歴を用いて、前記ユーザが前記住居の玄関の位置にいることを特定する、
請求項４に記載の情報通知方法。
【請求項６】
前記第１履歴情報に含まれる情報は、前記第１機器が動作中または停止中であるかを示す前記第１機器の稼働状況に関する情報を含み、
前記予め定められた条件は、前記第１機器が動作中であることであり、
前記予め定められた位置は、前記第１機器が設置されている部屋以外の場所である、
請求項２に記載の情報通知方法。
【請求項７】
さらに、前記第１機器が設置されている部屋に子供が居るか否かを検知する検知ステップを含み、
前記予め定められた条件は、前記第１機器が動作中であり、かつ、前記検知ステップにおいて前記第１機器が設置されている部屋に子供が居ると検知されたことである、
請求項６に記載の情報通知方法。
【請求項８】
前記生成ステップでは、前記判断ステップにおいて前記通知情報の送信が必要と判断された場合に、前記ユーザに前記第１機器の停止を含む制御を促す旨の情報と、前記第１機器が動作中である旨を示す情報とを、前記通知情報として生成する、
請求項６または７に記載の情報通知方法。
【請求項９】
さらに、前記判断ステップにおいて前記通知情報の送信が必要と判断された場合に、前記第１機器を停止する制御を行う制御ステップを含み、
前記生成ステップでは、前記判断ステップにおいて前記通知情報の送信が必要と判断され、前記制御ステップにおいて前記第１機器を停止する制御を行った場合に、前記第１機器が動作中であったため前記第１機器を停止する制御を行った旨の情報を、前記通知情報として生成する、
請求項６または７に記載の情報通知方法。
【請求項１０】
前記第１機器は、エアコン、照明またはＩＨ（Induction Heating）を利用した機器、
である、
請求項１〜９のいずれか１項に記載の情報通知方法。
【請求項１１】
さらに、前記第１機器の現在の状態を示すセンサ情報を取得する取得ステップを含み、
前記第１履歴情報は、前記第１機器の稼働状況に関する情報を含み、
前記判断ステップでは、前記管理情報に保持された前記第１履歴情報に含まれる情報と前記取得ステップにおいて取得されたセンサ情報とが予め定められた条件を満たし、かつ、特定された前記ユーザの位置が予め定められた位置である場合に、前記通知情報の送信が必要と判断する、
請求項２に記載の情報通知方法。
【請求項１２】
前記第１機器が風呂である場合、
前記第１履歴情報は、前記風呂を沸かす制御が行われたか否かを示す情報を含み、
前記センサ情報は、現在の前記風呂の栓の状態が開または閉のいずれの状態であるのかを示す情報を含み、
前記予め定められた条件は、前記風呂を沸かす制御が行われ、かつ、前記風呂の栓の状態が開の状態であり、
前記予め定められた位置は、前記風呂が置かれている前記ユーザの住居内である、
請求項１１に記載の情報通知方法。
【請求項１３】
前記第１機器が洗濯機である場合、
前記第１履歴情報は、前記洗濯機が動作中か否かを示す情報を含み、
前記センサ情報は、現在の前記洗濯機の槽が空か否かの状態を示す情報を含み、
前記予め定められた条件は、前記洗濯機の動作が終了しており、かつ、前記洗濯機の槽が空でないことであり、
前記予め定められた位置は、前記洗濯機が置かれている部屋以外の場所である、
請求項１１に記載の情報通知方法。
【請求項１４】
前記第１機器が炊飯器である場合、
前記第１履歴情報は、前記炊飯器が炊飯中または炊飯の予約中のいずれであるのかを示す情報を含み、
前記センサ情報は、現在の前記炊飯器の釜に米がセットされているか否かの状態を示す情報を含み、
前記予め定められた条件は、前記炊飯器が炊飯の予約中であり、かつ、前記炊飯器の釜に米がセットされていないことであり、
前記予め定められた位置は、前記炊飯器が置かれている前記ユーザの住居内である、
請求項１１に記載の情報通知方法。
【請求項１５】
前記通信ステップでは、さらに、現在の日時情報を受信する通信を行い、
前記保持ステップでは、前記管理情報として、前記ユーザが習慣的に行う行動と、前記行動を行うべき第１日時情報とを関連付けて、前記情報収集データベースに保持させ、
前記判断ステップでは、前記通信ステップにおいて受信した現在の日時情報が前記管理情報に保持された第１日時情報を含むという前記予め定められた条件を満たし、かつ、特定された前記ユーザの位置が予め定められた位置である場合に、前記通知情報の送信が必要と判断し、
前記生成ステップでは、前記判断ステップにおいて前記通知情報の送信が必要と判断された場合に、前記ユーザに前記行動を促す旨の情報を、前記通知情報として生成する、
請求項１または２に記載の情報通知方法。
【請求項１６】
前記行動は、前記ユーザが所定の収集場所にゴミを出す行動であり、
前記第１日時情報は、ゴミの収集が行われる日時に関する情報を含み、
前記予め定められた位置は、前記ユーザの住居内または前記住居の玄関である、
請求項１５に記載の情報通知方法。
【請求項１７】
前記位置情報特定ステップでは、人感センサおよび熱センサのうち少なくとも１つを用いたセンサであって前記ユーザの住居に設置されたセンサを用いて、前記ユーザの位置を特定する、
請求項１〜１６のいずれか１項に記載の情報通知方法。
【請求項１８】
前記１以上の提示機器は、スマートグリッド用宅内ディスプレイ、携帯端末、および、色変化もしくは点滅の可能な照明を含む、
請求項１〜１７のいずれか１項に記載の情報通知方法。
【請求項１９】
前記生成ステップでは、
前記判断ステップにおいて前記通知情報の送信が必要と判断され、かつ、前記機器指定ステップにおいて指定された提示機器が音声出力可能である場合、前記ユーザに通知すべき内容の音声データを含む前記通知情報を生成する、
請求項１〜１８のいずれか１項に記載の情報通知方法。
【請求項２０】
前記保持ステップ、前記位置情報特定ステップ、前記判断ステップ、前記提示機器指定ステップ、前記生成ステップ、前記通信ステップの少なくとも１つはプロセッサで行われる請求項１に記載の情報通知方法。
【請求項２１】
管理情報を保持する情報収集データベースと、
ユーザの位置を特定する位置情報特定部と、
前記情報収集データベースが保持する管理情報に含まれる情報が予め定められた条件を満たし、かつ、前記位置情報特定部において特定された前記ユーザの現在の位置が予め定められた位置である場合に、前記ユーザに対して通知情報の送信が必要と判断する判断部と、
１以上の提示機器のうち前記通知情報を表示すべき提示機器を指定する提示機器指定部と、
前記判断部により前記通知情報の送信が必要と判断された場合に、特定された前記ユーザの位置に応じた内容で前記通知情報を生成する生成部と、
前記提示機器指定部により指定された提示機器に、前記生成部で生成された前記通知情報を送信する通信部と、を備える、
情報通知装置。
【発明の詳細な説明】
【技術分野】
【０００１】
本開示は、情報通知装置および情報通知方法に関する。
【背景技術】
【０００２】
近年、ネットワークを介して機器に関する情報を収集するシステムが提案されている。ここで、機器に関する情報とは、例えば、機器の品番、機器の運転履歴および機器の運転状態、並びに、電池の残量等を示す情報である。
【０００３】
機器メーカは、上記システムを新たなサービスに展開することについて検討を行っている（例えば特許文献１）。特許文献１では、新たなサービスとして、ユーザが家電機器の予約を行なう際に、予約時間の設定は完了しているが、予約設定を忘れていることを検知し、通知を行なうサービスが提案されている。
【先行技術文献】
【特許文献】
【０００４】
【特許文献１】特開２００７−０６０６２２号公報
【発明の概要】
【発明が解決しようとする課題】
【０００５】
しかしながら、上記従来のシステムで新たなサービスを展開できるのは、予約時間設定ができる機器に限られる。つまり、予約のできない機器、または、予約設定可能だが予約設定を行なわずに使用している機器の操作忘れ等を通知することができない。さらに、通知されたとしても、ユーザが対応可能な場所または、対応可能なタイミングでなければ、操作ができず再度忘れられてしまう場合がある。
【０００６】
本開示は、上述の事情を鑑みてなされたもので、通知情報を最適な表示場所かつ最適なタイミングで行なう情報通知装置および情報通知方法を提供する。
【課題を解決するための手段】
【０００７】
本開示の一態様に係る情報通知方法は、管理情報を情報収集データベースに保持させる保持ステップと、ユーザの位置を特定する位置情報特定ステップと、前記情報収集データベースが保持する管理情報に含まれる情報が予め定められた条件を満たし、かつ、前記位置情報特定ステップにおいて特定された前記ユーザの現在の位置が予め定められた位置である場合に、前記ユーザに対して通知情報の送信が必要と判断する判断ステップと、１以上の提示機器のうち前記通知情報を表示すべき提示機器を指定する提示機器指定ステップと、前記判断ステップにおいて前記通知情報の送信が必要と判断された場合に、特定された前記ユーザの位置に応じた内容で前記通知情報を生成する生成ステップと、前記機器指定ステップにおいて指定された提示機器に、前記生成ステップで生成された前記通知情報を送信する通信を行う通信ステップと、を含む。
【０００８】
なお、これらの全般的または具体的な態様は、システム、方法、集積回路、コンピュータプログラムまたはコンピュータで読み取り可能なＣＤ−ＲＯＭ等の記録媒体で実現されてもよく、システム、方法、集積回路、コンピュータプログラムおよび記録媒体の任意な組み合わせで実現されてもよい。
【発明の効果】
【０００９】
本開示の情報通知装置等によれば、通知情報を適切な表示場所かつ適切なタイミングで行なうことができる。
【図面の簡単な説明】
【００１０】
【図１Ａ】図１Ａは、実施の形態における情報提供システムの全体像を示す図である。
【図１Ｂ】図１Ｂは、実施の形態における情報提供システムの一部構成の変形例を示す図である。
【図１Ｃ】図１Ｃは、実施の形態における情報提供システムの一部構成の変形例を示す図である。
【図２Ａ】図２Ａは、実施の形態１に係る情報通知装置を含むシステムの構成を示す図である。
【図２Ｂ】図２Ｂは、実施の形態１に係る情報通知装置を含むシステムの構成の変形例を示す図である。
【図３】図３は、実施の形態１に係る機器の機能的構成を示すブロック図である。
【図４】図４は、実施の形態１に係る表示機器の機能的構成を示すブロック図である。
【図５】図５は、実施の形態１に係る情報通知装置の機能的構成を示すブロック図である。
【図６】図６は、情報収集データベースに記憶された履歴情報の一例を示す図である。
【図７】図７は、表示機器指定部に保持されている送信先情報の一例を示す図である。
【図８Ａ】図８Ａは、実施の形態１に係る機器における制御の流れを示すフローチャートである。
【図８Ｂ】図８Ｂは、実施の形態１に係る機器における制御の流れを示すフローチャートである。
【図９Ａ】図９Ａは、実施の形態１に係る情報通知装置における制御の流れを示すフローチャートである。
【図９Ｂ】図９Ｂは、実施の形態１に係る情報通知装置における制御の流れを示すフローチャートである。
【図１０】図１０は、実施の形態１に係る表示機器における制御の流れを示すフローチャートである。
【図１１】図１１は、機器、表示機器および情報通知装置の一連の動作の流れを示すシーケンス図である。
【図１２Ａ】図１２Ａは、機器、表示機器および情報通知装置の一連の動作の流れを示すシーケンス図である。
【図１２Ｂ】図１２Ｂは、機器、表示機器および情報通知装置の一連の動作の流れを示すシーケンス図である。
【図１３】図１３は、実施の形態１の変形例１に係るシステム構成を示すブロック図である。
【図１４】図１４は、実施の形態１の変形例１に係る情報通知装置の機能的構成を示すブロック図である。
【図１５】図１５は、実施の形態１の変形例１に係る情報通知装置における制御の流れを示すフローチャートである。
【図１６】図１６は、実施の形態１の変形例１に係る情報通知装置における制御の流れを示すフローチャートである。
【図１７】図１７は、実施の形態１の変形例１に係る情報通知装置における制御の流れを示すフローチャートである。
【図１８】図１８は、実施の形態１の変形例２に係る情報通知装置の機能的構成を示すブロック図の変形例を示す図である。
【図１９】図１９は、実施の形態１の変形例３に係る情報通知装置の機能的構成を示すブロック図である。
【図２０】図２０は、実施の形態１の変形例３に係る表示機器の機能的構成を示すブロック図である。
【図２１】図２１は、実施の形態１の変形例３に係る情報通知装置における制御の流れを示すフローチャートである。
【図２２】図２２は、実施の形態１の変形例３に係る表示装置における制御の流れを示すフローチャートである。
【図２３】図２３は、実施の形態２に係る情報通知装置の機能的構成を示すブロック図である。
【図２４】図２４は、実施の形態２に係る情報通知装置における制御の流れを示すフローチャートである。
【図２５】図２５は、実施の形態２に係る情報通知装置における制御の流れを示すフローチャートである。
【図２６】図２６は、実施の形態２に係る情報通知装置における制御の流れを示すフローチャートである。
【図２７】図２７は、表示機器候補と機器がアイコンで表示されている表示画面の一例を示す図である。
【図２８】図２８は、図２７の画面上での送信先情報の設定の一例を説明するための図である。
【図２９Ａ】図２９Ａは、機器のアイコンごとに表示機器候補のアイコンが表示されている表示画面の一例を示す図である。
【図２９Ｂ】図２９Ｂは、機器のアイコンごとに表示機器候補のアイコンが表示されている表示画面の一例を示す図である。
【図３０】図３０は、世間一般でよく指定されている表示機器にも表示されるように設定する情報通知装置の機能的構成を示すブロック図である。
【図３１Ａ】図３１Ａは、通知情報を表示している表示機器を示す情報を表示する表示画面の一例を示す図である。
【図３１Ｂ】図３１Ｂは、通知情報を表示している表示機器を示す情報を表示する表示画面の一例を示す図である。
【図３１Ｃ】図３１Ｃは、通知情報を表示している表示機器を示す情報を表示する表示画面の別の一例を示す図である。
【図３２】図３２は、通知情報を表示している表示機器を示す情報を表示する表示画面の一例を示す図である。
【図３３】図３３は、表示機器の中でエラーが起きている旨が表示されている表示画面の一例を示す図である。
【図３４】図３４は、ユーザの生活パターンに基づき、通知情報を表示しなかった場合の表示機器の表示画面の一例を示す図である。
【図３５】図３５は、通知情報を表示しない時間帯を設定できる表示機器の表示画面の一例を示す図である。
【図３６】図３６は、機器、表示機器、情報通知装置および照明の一連の動作の流れを示すシーケンス図である。
【図３７】図３７は、実施の形態３に係るシステム構成を示すブロック図である。
【図３８】図３８は、実施の形態３に係る情報通知装置の機能的構成を示すブロック図である。
【図３９】図３９、実施の形態３に係る情報通知装置における制御の流れを示すフローチャートである。
【図４０】図４０は、実施の形態３の変形例１に係る情報通知装置の機能的構成を示すブロック図である。
【図４１】図４１は、実施の形態３の変形例１に係る情報通知装置における制御の流れを示すフローチャートである。
【図４２】図４２は、実施の形態３の変形例２に係る情報通知装置の機能的構成を示すブロック図である。
【図４３】図４３は、実施の形態３の変形例２に係る情報通知装置における制御の流れを示すフローチャートである。
【図４４】図４４は、実施の形態４に係る情報通知装置の機能的構成を示すブロック図である。
【図４５】図４５は、実施の形態４に係る情報通知装置における制御の流れを示すフローチャートである。
【図４６】図４６は、実施の形態５に係る情報通知装置の機能的構成を示すブロック図である。
【図４７】図４７は、実施の形態５に係る情報通知装置における制御の流れを示すフローチャートである。
【図４８】図４８は、サービスの類型１（自社データセンタ型）を示す図である。
【図４９】図４９は、サービスの類型２（ＩａａＳ利用型）を示す図である。
【図５０】図５０は、サービスの類型３（ＰａａＳ利用型）を示す図である。
【図５１】図５１は、サービスの類型４（ＳａａＳ利用型）を示す図である。
【発明を実施するための形態】
【００１１】
（本発明の基礎となった知見）
本発明者は、「背景技術」の欄において記載したシステムに関し、以下の問題が生じることを見出した。
【００１２】
特許文献１に開示されたシステムでは、予約設定確認手段と予約忘れ確認通知送信手段とを備え、予約設定を忘れた状態で、予約時間が来た場合に、予約設定確認手段が予約設定を忘れていることを検知することにより、予約忘れ確認通知送信手段が予約忘れ確認の電子メールを利用者に送信する。このようにして、利用者は予約設定を忘れていても、外出先で忘れていることを認識することができる。
【００１３】
しかしながら、上記従来のシステムでは、予約忘れ確認の電子メールを利用者に送信するなどのサービスを提供できるのは、予約時間設定ができる機器に限られる。予約の出来ない機器、または、予約設定可能だが予約設定を行なわずに使用している機器の操作忘れ等を通知することができない。さらに、通知されたとしても、ユーザが対応可能な場所または、対応可能なタイミングで通知されなければ、操作ができず再度忘れられてしまう場合がある。
【００１４】
本開示は、上述の事情を鑑みてなされたもので、通知情報を最適な表示場所かつ最適なタイミングで行なう情報通知装置および情報通知方法を提供する。
【００１５】
本開示の一態様に係る情報通知方法は、管理情報を情報収集データベースに保持させる保持ステップと、ユーザの位置を特定する位置情報特定ステップと、前記情報収集データベースが保持する管理情報に含まれる情報が予め定められた条件を満たし、かつ、前記位置情報特定ステップにおいて特定された前記ユーザの現在の位置が予め定められた位置である場合に、前記ユーザに対して通知情報の送信が必要と判断する判断ステップと、１以上の提示機器のうち前記通知情報を表示すべき提示機器を指定する提示機器指定ステップと、前記判断ステップにおいて前記通知情報の送信が必要と判断された場合に、特定された前記ユーザの位置に応じた内容で前記通知情報を生成する生成ステップと、前記機器指定ステップにおいて指定された提示機器に、前記生成ステップで生成された前記通知情報を送信する通信を行う通信ステップと、を含む。
【００１６】
本態様によれば、通知情報を適切な表示場所かつ適切なタイミングで行なうことができる情報通知装置を実現できる。
【００１７】
本態様によれば、ユーザの位置を特定することにより、ユーザの現在の位置がわかるので、管理情報に基づき、ユーザの現在の位置に応じた通知情報を生成し、送信することができる。これにより、ユーザは対応可能な適切なタイミングで通知情報を受け取ることができる。
【００１８】
ここで、例えば、前記通信ステップでは、さらに、前記ユーザからの入力を受け付けて動作する複数の機器のうちの第１機器から、前記第１機器を一意に識別する第１機器情報と、前記第１機器の制御情報および前記第１機器の状態を示す状態情報の少なくとも一方の履歴を含む前記第１機器の第１履歴情報とを受信する通信を行い、前記保持ステップでは、前記管理情報として、前記通信ステップにおいて受信した前記第１機器情報と前記第１履歴情報とを関連付けて、前記情報収集データベースに保持させ、前記判断ステップでは、前記管理情報に保持された前記第１履歴情報に含まれる情報が予め定められた条件を満たし、かつ、特定された前記ユーザの位置が予め定められた位置である場合に、前記通知情報の送信が必要と判断するとしてもよい。
【００１９】
また、例えば、前記第１機器が電動自転車である場合、前記第１履歴情報に含まれる情報は、前記第１機器の電池残量の値であり、前記予め定められた条件は、前記第１機器の電池残量の値が前記第１機器に充電の必要な予め定められた値以下であることであり、前記予め定められた位置は、前記第１機器が置かれている前記ユーザの住居内または前記住居周辺であるとしてもよい。
【００２０】
また、例えば、前記予め定められた位置は、前記住居の玄関であるとしてもよい。
【００２１】
また、例えば、前記位置情報特定ステップでは、前記ユーザの住居の玄関の鍵が操作された操作履歴または前記玄関の照明が操作された操作履歴を用いて、前記ユーザが前記住居の玄関の位置にいることを特定するとしてもよい。
【００２２】
また、例えば、前記第１履歴情報に含まれる情報は、前記第１機器が動作中または停止中であるかを示す前記第１機器の稼働状況に関する情報を含み、前記予め定められた条件は、前記第１機器が動作中であることであり、前記予め定められた位置は、前記第１機器が設置されている部屋以外の場所であるとしてもよい。
【００２３】
また、例えば、さらに、前記第１機器が設置されている部屋に子供が居るか否かを検知する検知ステップを含み、前記予め定められた条件は、前記第１機器が動作中であり、かつ、前記検知ステップにおいて前記第１機器が設置されている部屋に子供が居ると検知されたことであるとしてもよい。
【００２４】
また、例えば、前記生成ステップでは、前記判断ステップにおいて前記通知情報の送信が必要と判断された場合に、前記ユーザに前記第１機器の停止を含む制御を促す旨の情報と、前記第１機器が動作中である旨を示す情報とを、前記通知情報として生成するとしてもよい。
【００２５】
また、例えば、さらに、前記判断ステップにおいて前記通知情報の送信が必要と判断された場合に、前記第１機器を停止する制御を行う制御ステップを含み、前記生成ステップでは、前記判断ステップにおいて前記通知情報の送信が必要と判断され、前記制御ステップにおいて前記第１機器を停止する制御を行った場合に、前記第１機器が動作中であったため前記第１機器を停止する制御を行った旨の情報を、前記通知情報として生成するとしてもよい。
【００２６】
また、例えば、前記第１機器は、エアコン、照明またはＩＨ（Induction Heating）を
利用した機器、であるとしてもよい。
【００２７】
また、例えば、さらに、前記第１機器の現在の状態を示すセンサ情報を取得する取得ステップを含み、前記第１履歴情報は、前記第１機器の稼働状況に関する情報を含み、前記判断ステップでは、前記管理情報に保持された前記第１履歴情報に含まれる情報と前記取得ステップにおいて取得されたセンサ情報とが予め定められた条件を満たし、かつ、特定された前記ユーザの位置が予め定められた位置である場合に、前記通知情報の送信が必要と判断するとしてもよい。
【００２８】
また、例えば、前記第１機器が風呂である場合、前記第１履歴情報は、前記風呂を沸かす制御が行われたか否かを示す情報を含み、前記センサ情報は、現在の前記風呂の栓の状態が開または閉のいずれの状態であるのかを示す情報を含み、前記予め定められた条件は、前記風呂を沸かす制御が行われ、かつ、前記風呂の栓が開の状態であり、前記予め定められた位置は、前記風呂が置かれている前記ユーザの住居内であるとしてもよい。
【００２９】
また、例えば、前記第１機器が洗濯機である場合、前記第１履歴情報は、前記洗濯機が動作中か否かを示す情報を含み、前記センサ情報は、現在の前記洗濯機の槽が空か否かの状態を示す情報を含み、前記予め定められた条件は、前記洗濯機の動作が終了しており、かつ、前記洗濯機の槽が空でないことであり、前記予め定められた位置は、前記洗濯機が置かれている部屋以外の場所であるとしてもよい。
【００３０】
また、例えば、前記第１機器が炊飯器である場合、前記第１履歴情報は、前記炊飯器が炊飯中または炊飯の予約中のいずれであるのかを示す情報を含み、前記センサ情報は、現在の前記炊飯器の釜に米がセットされているか否かの状態を示す情報を含み、前記予め定められた条件は、前記炊飯器が炊飯の予約中であり、かつ、前記炊飯器の釜に米がセットされていないことであり、前記予め定められた位置は、前記炊飯器が置かれている前記ユーザの住居内であるとしてもよい。
【００３１】
また、例えば、前記通信ステップでは、さらに、現在の日時情報を受信する通信を行い、前記保持ステップでは、前記管理情報として、前記ユーザが習慣的に行う行動と、前記行動を行うべき第１日時情報とを関連付けて、前記情報収集データベースに保持させ、前記判断ステップでは、前記通信ステップにおいて受信した現在の日時情報が前記管理情報に保持された第１日時情報を含むという前記予め定められた条件を満たし、かつ、特定された前記ユーザの位置が予め定められた位置である場合に、前記通知情報の送信が必要と判断し、前記生成ステップでは、前記判断ステップにおいて前記通知情報の送信が必要と判断された場合に、前記ユーザに前記行動を促す旨の情報を、前記通知情報として生成するとしてもよい。
【００３２】
また、例えば、前記行動は、前記ユーザが所定の収集場所にゴミを出す行動であり、前記第１日時情報は、ゴミの収集が行われる日時を含み、前記予め定められた位置は、前記ユーザの住居内または前記住居の玄関であるとしてもよい。
【００３３】
また、例えば、前記位置情報特定ステップでは、人感センサおよび熱センサのうち少なくとも１つを用いたセンサであって前記ユーザの住居に設置されたセンサを用いて、前記ユーザの位置を特定するとしてもよい。
【００３４】
また、例えば、前記１以上の提示機器は、スマートグリッド用宅内ディスプレイ、携帯端末、および、色変化もしくは点滅の可能な照明を含むとしてもよい。
【００３５】
また、例えば、前記生成ステップでは、前記判断ステップにおいて前記通知情報の送信が必要と判断され、かつ、前記機器指定ステップにおいて指定された提示機器が音声出力可能である場合、前記ユーザに通知すべき内容の音声データを含む前記通知情報を生成するとしてもよい。
【００３６】
また、例えば、前記保持ステップ、前記位置情報特定ステップ、前記判断ステップ、前記提示機器指定ステップ、前記生成ステップ、前記通信ステップの少なくとも１つはプロセッサで行ってもよい。
【００３７】
また、本開示の一態様に係る情報表示装置は、管理情報を保持する情報収集データベースと、ユーザの位置を特定する位置情報特定部と、前記情報収集データベースが保持する管理情報に含まれる情報が予め定められた条件を満たし、かつ、前記位置情報特定部において特定された前記ユーザの現在の位置が予め定められた位置である場合に、前記ユーザに対して通知情報の送信が必要と判断する判断部と、１以上の提示機器のうち前記通知情報を表示すべき提示機器を指定する提示機器指定部と、前記判断部により前記通知情報の送信が必要と判断された場合に、特定された前記ユーザの位置に応じた内容で前記通知情報を生成する生成部と、前記提示機器指定部により指定された提示機器に、前記生成部で生成された前記通知情報を送信する通信部と、を備える。
【００３８】
なお、これらの全般的または具体的な態様は、システム、方法、集積回路、コンピュータプログラムまたはコンピュータで読み取り可能なＣＤ−ＲＯＭ等の記録媒体で実現されてもよく、システム、方法、集積回路、コンピュータプログラムまたは記録媒体の任意な組み合わせで実現されてもよい。
【００３９】
（提供するサービスの全体像）
図１Ａには、実施の形態における情報提供システムの全体像が示されている。
【００４０】
グループ１０００は、例えば企業、団体、家庭等であり、その規模を問わない。グループ１０００には、複数の機器１０１０である機器Ａ、機器Ｂおよびホームゲートウェイ１０２０が存在する。複数の機器１０１０には、インターネットと接続可能な機器（例えば、スマートフォン、ＰＣ、ＴＶ等）もあれば、それ自身ではインターネットと接続不可能な機器（例えば、照明、洗濯機、冷蔵庫等）も存在する。それ自身ではインターネットと接続不可能な機器であっても、ホームゲートウェイ１０２０を介してインターネットと接続可能となる機器が存在してもよい。またグループ１０００には複数の機器１０１０を使用するユーザ１が存在する。
【００４１】
データセンタ運営会社１１００には、クラウドサーバ１１１０が存在する。クラウドサーバ１１１０とはインターネットを介して様々な機器と連携する仮想化サーバである。主に通常のデータベース管理ツール等で扱うことが困難な巨大なデータ（ビッグデータ）等を管理する。データセンタ運営会社１１００は、データ管理やクラウドサーバ１１１０の管理、それらを行うデータセンタの運営等を行っている。データセンタ運営会社１１００が行っている役務については詳細を後述する。
【００４２】
なお、データセンタ運営会社１１００は、データ管理やクラウドサーバ１１１０の運営等のみを行っている会社に限らない。例えば複数の機器１０１０のうちの一つの機器を開発・製造している機器メーカが、併せてデータ管理やクラウドサーバ１１１０の管理等を行っている場合は、機器メーカがデータセンタ運営会社１１００に該当する（図１Ｂ）。また、データセンタ運営会社１１００は一つの会社に限らない。例えば機器メーカ及び他の管理会社が共同もしくは分担してデータ管理やクラウドサーバ１１１０の運営を行っている場合は、両者もしくはいずれか一方がデータセンタ運営会社１１００に該当するものとする（図１Ｃ）。
【００４３】
サービスプロバイダ１２００は、サーバ１２１０を保有している。ここで言うサーバ１２１０とは、その規模は問わず例えば、個人用ＰＣ内のメモリ等も含む。また、サービスプロバイダがサーバ１２１０を保有していない場合もある。
【００４４】
なお、上記サービスにおいてホームゲートウェイ１０２０は必須ではない。例えば、クラウドサーバ１１１０が全てのデータ管理を行っている場合等は、ホームゲートウェイ１０２０は不要となる。また、家庭内のあらゆる機器がインターネットに接続されている場合のように、それ自身ではインターネットと接続不可能な機器は存在しない場合もある。
【００４５】
次に、上記サービスにおける情報の流れを説明する。
【００４６】
まず、グループ１０００の機器Ａ又は機器Ｂは、各ログ情報をデータセンタ運営会社１１００のクラウドサーバ１１１０に送信する。クラウドサーバ１１１０は機器Ａ又は機器Ｂのログ情報を集積する（図１Ａの（ａ））。ここで、ログ情報とは複数の機器１０１０の、例えば運転状況や動作日時等を示す情報である。例えば、テレビの視聴履歴やレコーダーの録画予約情報、洗濯機の運転日時・洗濯物の量、冷蔵庫の開閉日時・開閉回数などであるが、これらのものに限らずあらゆる機器から取得が可能なすべての情報をいう。ログ情報は、インターネットを介して複数の機器１０１０自体からクラウドサーバ１１１０に直接提供される場合もある。また複数の機器１０１０からホームゲートウェイ１０２０にログ情報が一旦集積され、ホームゲートウェイ１０２０からクラウドサーバ１１１０に提供されてもよい。
【００４７】
次に、データセンタ運営会社１１００のクラウドサーバ１１１０は、集積したログ情報を一定の単位でサービスプロバイダ１２００に提供する。ここで、データセンタ運営会社が集積した情報を整理してサービスプロバイダ１２００に提供することの出来る単位でもいいし、サービスプロバイダ１２００が要求した単位でもいい。一定の単位と記載したが一定でなくてもよく、状況に応じて提供する情報量が変化する場合もある。前記ログ情報は、必要に応じてサービスプロバイダ１２００が保有するサーバ１２１０に保存される（図１Ａの（ｂ））。そして、サービスプロバイダ１２００は、ログ情報をユーザに提供するサービスに適合する情報に整理し、ユーザに提供する。提供するユーザは、複数の機器１０１０を使用するユーザ１でもよいし、外部のユーザ２でもよい。ユーザへのサービス提供方法は、例えば、サービスプロバイダから直接ユーザへ提供されてもよい（図１Ａの（ｂ）、（ｅ））。また、ユーザへのサービス提供方法は、例えば、データセンタ運営会社１１００のクラウドサーバ１１１０を再度経由して、ユーザに提供されてもよい（図１Ａの（ｃ）、（ｄ））。また、データセンタ運営会社１１００のクラウドサーバ１１１０がログ情報をユーザに提供するサービスに適合する情報に整理し、サービスプロバイダ１２００に提供してもよい。
【００４８】
なお、ユーザ１とユーザ２とは、別でも同一でもよい。
【００４９】
以下、実施の形態に係る情報通知装置及び情報通知方法について、図面を参照しながら具体的に説明する。なお、以下で説明する実施の形態は、いずれも本開示の一具体例を示すものである。以下の実施の形態で示される数値、形状、材料、構成要素、構成要素の配置位置及び接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。
【００５０】
（実施の形態１）
［システムの全体構成］
図２Ａは、実施の形態１に係る情報通知装置１０を含むシステムの構成を示す図である。図示のシステムは、情報通知装置１０、機器２０、提示機器の一例である表示機器３０およびネットワーク４０を含んでいる。
【００５１】
情報通知装置１０は、例えば、機器メーカが保有するデータベースを有するウェブサーバである。情報通知装置１０は、ネットワーク４０を介して、機器２０と表示機器３０と接続されている。この情報通知装置１０は、機器２０からネットワーク４０を介して送信された情報を登録し、登録した情報を元に通知情報を生成し、表示機器３０に表示させる通知情報を、ネットワーク４０を介して表示機器３０に送信（転送）する。なお、情報通知装置１０は、図１Ａに示す例ではサーバ１２１０に対応する。
【００５２】
機器２０は、例えば、家電機器、照明、車や端末機器等、日常で使う機器である。家電機器には、例えば、ａ）テレビジョン受像機およびデジタルレコーダ等のＡＶ（Ａｕｄｉｏ  Ｖｉｓｕａｌ）家電、ｂ）冷蔵庫、洗濯機、エアコン、炊飯器、掃除機およびＩＨ（Ｉｎｄｕｃｔｉｏｎ  Ｈｅａｔｉｎｇ）クッキングヒータ等の生活家電、ｃ）歯ブラシ、血圧計および体組成計等の健康家電、ｄ）ドライヤおよびシェーバ等の美容家電等が含まれる。また、車には、例えば、電気自動車や電動アシスト自転車等が含まれる。端末機器には、例えば、スマートフォン、フィーチャーフォン、タブレット、パーソナルコンピューター等が含まれる。なお、機器２０は、図１Ａに示す例では、機器１０１０に対応する。
【００５３】
表示機器３０は、例えば、携帯電話（スマートフォンやフィーチャーフォン）、タブレット、テレビ、ディスプレイ付の冷蔵庫や洗濯機など、表示ディスプレイを搭載した機器である。なお、表示機器３０は、図１Ａに示す例では機器１０１０に対応するが、本実施の形態では、表示機器３０と機器２０とは言及しない限り異なる機器として説明する。
【００５４】
ネットワーク４０は、イーサネット（登録商標）等の有線ネットワーク、無線ＬＡＮ等の無線ネットワーク、公衆網、または、これらのネットワークが組み合わされたネットワーク等である。公衆網とは、電気通信事業者が、不特定多数の利用者の通信のために提供している通信回線のことであり、例えば、一般電話回線またはＩＳＤＮなどが挙げられる。
【００５５】
なお、図２Ｂのように、機器２０と表示機器３０は、外部端末５０を介してネットワーク４０に接続されてもよい。また、機器２０は外部端末５０を介してネットワーク４０に接続され、表示機器３０は外部端末５０を介さずにネットワーク４０に接続される、または、これの逆などの組み合わせなどで接続されてもよい。
【００５６】
外部端末５０は、例えば、携帯電話（スマートフォンやフィーチャーフォン）、タブレット、ルーター、アクセスポイントなどネットワーク４０に繋がる端末である。外部端末５０と機器２０の接続方法としては、ＲＦＩＤ（Ｒａｄｉｏ  Ｆｒｅｑｕｅｎｃｙ  Ｉｄｅｎｔｉｆｉｃａｔｉｏｎ）タグや、ＮＦＣ（Ｎｅａｒ  Ｆｉｅｌｄ  Ｃｏｍｍｕｎｉｃａｔｉｏｎ：ＩＳＯ／ＩＥＣ  ２１４８１）や、Ｗｉ−Ｆｉ（Ｗｉｒｅｌｅｓｓ  Ｆｉｄｅｌｉｔｙ）や、Ｂｌｕｅｔｏｏｔｈ（登録商標）などの近接無線通信による接続や、ＬＡＮケーブルなどを利用した有線による接続がある。なお、外部端末５０は、図１Ａに示す例では、ホームゲートウェイ１０２０に対応する。
【００５７】
機器２０、表示機器３０は、図２Ａおよび図２Ｂに示すように、複数である。情報通知装置１０は複数の機器２０それぞれの情報を収集し、複数の表示機器３０の少なくとも一つに対して、通知情報を送信できる。本実施の形態では、機器２０が電動アシスト自転車、表示機器３０がスマートフォンである場合を例に挙げて説明する。
【００５８】
［機器の構成］
図３は、実施の形態１に係る機器２０の機能的構成を示すブロック図である。図示の機器２０は、ユーザから入力等の操作を受け付けて動作し、電源部２１０、入力部２２０、制御部２３０、記憶部２４０、および、通信部２５０を備えている。
【００５９】
電源部２１０は、機器２０の主電源である。電源部２１０がオンであるときは、電源部２１０からの電力が機器２０の全体に供給される。電源部２１０がオフであるときには、機器２０の全体への電力の供給が停止される。
【００６０】
入力部２２０は、ユーザの操作を受け付ける部分である。入力部２２０は、例えば、電源ボタン、走行モード変更ボタン、ブレーキまたはペダル等であり、ユーザが操作できる部分である。
【００６１】
制御部２３０は、機器２０全体の動作を制御する部分であり、入力部２２０の操作を受け付けて、機器２０の制御を行い、機器２０の制御情報を記憶部２４０へ記録する。制御部２３０は、さらに、ユーザの操作により発生した機器２０の状態情報などの収集や算出を行い、記憶部２４０に記憶する。
【００６２】
ここで、機器２０の制御情報とは、例えば、ユーザが入力部２２０の操作部分であるモード変更ボタンを押し、機器２０がパワーモードに変更された際の、機器２０が「パワーモードに変更」されたという事象を示す情報である。この制御情報は、時計２６０の時間情報と関連付けられて登録される（「何時何分にパワーモードに変更」等）。なお、制御情報と関連付ける時間情報については、機器２０が保持する時計２６０によるものでなくてもよい。例えば、情報通知装置１０が時計を保持するとしてもよい。その場合には、情報通知装置１０が機器２０からの履歴情報（後述）を取得した際に、情報通知装置１０が履歴情報を受信した時間を示す時間情報を履歴情報と関連付ければよい。
【００６３】
また、機器２０の状態情報とは、例えば、ペダルの回転数から算出される走行距離や電池の残量など機器２０の状態を示す情報である（例えば、走行距離１０００ｍ、電池残量４０％など）。この状態情報も上述した制御情報と同様に時間情報と関連付けて登録される。状態情報は、ユーザの入力等の操作のたびに収集または算出されてもよく、等間隔（例えば５分間隔）で収集または算出されて、記憶部２４０に記憶されてもよい。本実施の形態では、履歴情報は、制御情報および状態情報の少なくとも一方を含むとして説明する。
【００６４】
記憶部２４０は、制御部２３０の機器２０の制御情報および状態情報の少なくとも一方を含む履歴情報と、機器２０の機器情報とを記憶する。ここで、機器２０の機器情報とは、機器２０を一意に識別できる情報であり、例えば、機器の品番など、電動アシスト自転車と認識できる情報である。
【００６５】
通信部２５０は、記憶部２４０に記憶された機器情報と履歴情報とを、ネットワーク４０を介して情報通知装置１０に送信する。通信部２５０は、機器情報と履歴情報とを等間隔（例えば５秒間隔）に送信するとしてもよいし、ユーザの手動によるタイミングで行うとしてもよいし、情報通知装置１０に要求されたタイミングで送信するとしてもよい。
【００６６】
時計２６０は、現在の時刻を示す時間情報を管理するものであり、例えば、西暦２０１２年０９月０１日１２時３０分１５秒などの情報を管理する。
【００６７】
［表示機器の構成］
図４は、実施の形態１に係る表示機器３０の機能的構成を示すブロック図である。図示の表示機器３０は、通信部３１０、制御部３２０および表示部３３０を備えている。
【００６８】
通信部３１０は、情報通知装置１０から送信された通知情報を受信する。
【００６９】
制御部３２０は、通信部３１０で受信した通知情報を表示部３３０に表示させる。なお、通知情報はメールなどで受信しても良い。この場合、すなわちメールなどで受信した場合は、制御部３２０は、ユーザの操作によって通知情報を表示部３３０に表示させる。
【００７０】
表示部３３０は、表示画面を有し、表示画面に通知情報を表示する。
【００７１】
［情報通知装置の構成］
図５は、実施の形態１に係る情報通知装置１０の機能的構成を示すブロック図である。図６は、情報収集データベースに記憶された履歴情報の一例を示す図である。図７は、表示機器指定部に保持されている送信先情報の一例を示す図である。
【００７２】
図５に示す情報通知装置１０は、通信部１１０、情報収集データベース１２０、判断部１３０、表示機器指定部１４０、生成部１５０、時計１６０を備え、複数の機器それぞれから動作状態に関する情報等を取得する。
【００７３】
通信部１１０は、ユーザからの入力を受け付けて動作する複数の機器のうちの第１機器（機器２０）から、第１機器を一意に識別する第１機器情報と、第１機器の制御情報および第１機器の状態を示す状態情報の少なくとも一方の履歴を含む第１機器の第１履歴情報を受信し、通知情報を送信する。通信部１１０は、表示機器指定部１４０により指定された表示機器に、生成された通知情報を送信する。
【００７４】
具体的には、通信部１１０は、複数の機器のうち機器２０から、機器情報と履歴情報とを受信し、情報収集データベース１２０に登録する。また、通信部１１０は、生成部１５０で生成された通知情報を表示機器指定部１４０で指定された表示機器３０に送信する。なお、機器２０からの機器情報と履歴情報とは、通信部１１０が要求したタイミングで取得するとしても良いし、機器２０で設定された間隔または機器２０から送信されたタイミングで取得するとしても良いし、通信部１１０で設定された等間隔（例えば５秒）で取得するとしてもよい。
【００７５】
情報収集データベース１２０は、第１機器（機器２０）を所有するユーザの情報（ユーザ情報）と第１機器情報とを関連付けて保持しており、通信部１１０で受信した第１機器情報に基づいて、保持している第１機器情報に、受信した第１履歴情報を関連付けて保持する。情報収集データベース１２０は、通信部１１０が受信した履歴情報に時間情報が含まれていない場合に、時計１６０から通信部１１０が履歴情報を受信した時間を示す時間情報を取得して、履歴情報と取得した時間情報とを関連付けて保持する。
【００７６】
具体的には、情報収集データベース１２０は、ユーザ情報と機器情報と履歴情報とを関連付けて記憶する。ここで、ユーザ情報とは、ユーザの情報であり、例えば、氏名、生年月日や住所などを示す情報である。ユーザ情報は、機器２０をネットワーク４０に接続する際には、同時に機器情報と関連付けて登録される。ここでは、機器２０がネットワーク４０に接続されていることを前提とするため、機器２０を最初にネットワーク４０に接続する際の登録方法等は省略する。
【００７７】
情報収集データベース１２０に記録される内容の一例は図６に示す通りである。すなわち、ユーザ情報と機器情報とが関連付けられて登録されている。そして、さらに、履歴情報が機器情報に関連付けられて登録されている。また、図６に示すように、履歴情報は、時間情報とも関連付けられているとしてもよい。通信部１１０で取得した履歴情報に時間情報が付与されていない場合は、時計１６０の時間情報と関連付けて情報収集データベース１２０に登録すればよい。なお、図６に示す内容は一例であり、これに限らない。例えば機器情報に対して、使用しているユーザのユーザ情報が関連付けられて登録されるとしてもよい。また、履歴情報には、図６に示す内容に限らず、走行距離、運転モードの変更履歴など機器２０で検知可能な全ての情報を含むことができる。
【００７８】
判断部１３０は、情報収集データベース１２０に保持された第１履歴情報に含まれる情報が予め定められた条件を満たす場合に、第１機器（機器２０）に関する通知情報の送信が必要と判断する。
【００７９】
具体的には、判断部１３０は、機器ごとに設定された、特定情報と条件とを元に通知情報の生成の有無を判断する。ここで、特定情報とは、履歴情報に含まれる情報の１つまたは複数であり、例えば、電動アシスト自転車の履歴情報に含まれる電池残量の情報などである。また、条件とは、例えば、電池残量がある閾値（例えば２０％等）を下回かどうかであり、判断部１３０は、特定情報がこの条件を満たす場合には通知情報の生成が必要と判断する。
【００８０】
なお、条件（例えば閾値）や、特定情報と条件の組み合わせは、情報通知装置１０で設定され、保持される情報である。例えば、機器が電動アシスト自転車であれば、特定情報は電池残量で、条件は２０％より少ないという組み合わせを保持している。なお、特定情報と条件との組み合わせは、判断部１３０が保持する場合に限らず、情報収集データベース１２０が保持するとしていてもよい。本実施の形態では、判断部１３０が保持しているとして説明する。
【００８１】
表示機器指定部１４０は、１以上の機器それぞれに関する通知情報を送信すべき１以上の表示機器を示す送信先情報を保持している。表示機器指定部１４０は、送信先情報と受信した第１機器情報とに基づいて、複数の表示機器のうち第１機器に関する通知情報を表示すべき表示機器を指定する。
【００８２】
具体的には、表示機器指定部１４０は、機器２０に対する通知情報をどの表示機器に送信して表示させるかを示す情報（送信先情報）を保持しており、機器２０の機器情報を元に特定の表示機器３０を指定する。表示機器指定部１４０は、例えば、図７に示す送信先情報を保持しており、図７に示す送信先情報から、機器２０に関連付けられた表示機器３０を確認し、確認した表示機器３０を指定する。
【００８３】
なお、図７に示すように機器と表示機器とが１対１で対応付けられる必要はない。機器に対し、複数の表示機器が対応付けられていて、複数の表示機器に通信部１１０から通知情報を送信するとしてもよい。また、図７に示すような機器と表示機器の対応付けすなわち送信先情報は、情報通知装置１０で設定されてもよいし、機器２０の利用者などにより、設定および変更されるとしてもよい。また、送信先情報は、後述（変形例２）するように、履歴情報から動的に変化されるとしてもよい。また、送信先情報は、情報収集データベース１２０内に記憶されるとしてもよい。
【００８４】
生成部１５０は、判断部１３０により第１機器に関する通知情報の送信が必要と判断された場合に当該通知情報を生成する。具体的には、生成部１５０は、判断部１３０で通知情報の生成が必要と判断された場合に、通知情報を生成する。通知情報は、メール形式で生成してもよいし、プッシュ通知のように表示機器３０の表示部３３０に表示する形式で生成してもよいし、表示機器３０内にインストールされているアプリを自動的に立ち上げて、アプリ上で表示させる形式で生成してもよい。
【００８５】
時計１６０は、現在の時刻を示す時間情報を管理するものであり、例えば、西暦２０１２年０９月０１日１２時３０分１５秒などの情報を管理する。
【００８６】
［機器の制御方法］
次に、図８Ａおよび図８Ｂを参照しながら、上述した機器２０の制御方法について説明する。図８Ａおよび図８Ｂは、実施の形態１に係る機器２０における制御の流れを示すフローチャートである。
【００８７】
まず、入力部２２０は、ユーザの操作を受け付ける（Ｓ１０１）。
【００８８】
次に、制御部２３０は、入力部２２０で受け付けた操作を元に機器２０を制御する（Ｓ１０２）。
【００８９】
次に、制御部２３０は、機器２０の状態情報を収集または算出する（Ｓ１０３）。
【００９０】
次に、制御部２３０は、制御情報および状態情報を時間情報と関連付けて履歴情報として、記憶部２４０に記憶させる（Ｓ１０４）。
【００９１】
機器２０は、図８Ａを用いて説明した制御と並行に、図８Ｂに示す処理を行う。
【００９２】
すなわち、まず、通信部２５０は、情報通知装置１０へ送信する情報を制御部２３０に要求する（Ｓ１１１）。次いで、制御部２３０は、記憶部２４０から履歴情報と機器情報とを取得する（Ｓ１１２）。次いで、通信部２５０は、制御部２３０により取得された履歴情報と機器情報とを情報通知装置１０へ送信する（Ｓ１１３）。
【００９３】
［情報通知装置の制御方法］
次に、図９Ａおよび図９Ｂを参照しながら、上述した情報通知装置１０の制御方法について説明する。図９Ａおよび図９Ｂは、実施の形態１に係る情報通知装置１０における制御の流れを示すフローチャートである。
【００９４】
まず、通信部１１０は、機器２０から履歴情報と機器情報を受信する（Ｓ２０１）。
【００９５】
次に、通信部１１０は、機器情報を元に、履歴情報および機器情報を、ユーザ情報と関連付けて、情報収集データベース１２０に登録する（Ｓ２０２）。なお、上述したように履歴情報が時間情報と関連付けられていない場合は、通信部１１０が受信した時の時間情報と履歴情報とを関連付けて情報収集データベース１２０に登録する。
【００９６】
また、情報通知装置１０は、図９Ａを用いて説明した制御と並行に、図９Ｂに示す処理を行う。すなわち、まず、判断部１３０は、情報収集データベース１２０から、履歴情報と機器情報を取得する（Ｓ２１１）。
【００９７】
次に、判断部１３０は、予め定められた条件を履歴情報に含まれる特定情報が満たすか否かに基づいて、通知情報の生成の必要の有無を判断する（Ｓ２１２）。
【００９８】
判断部１３０が通知情報の生成の必要が無いと判断した場合（Ｓ２１２でＮＯ）、一連の流れを終了する。一方、判断部１３０が通知情報の生成が必要と判断した場合（Ｓ２１２でＹＥＳ）、表示機器指定部１４０は、機器情報に基づき通知情報を表示すべき表示機器を指定する（Ｓ２１３）。
【００９９】
次に、生成部１５０は、指定された表示機器に表示させる通知情報を生成する（Ｓ２１４）。
【０１００】
そして、通信部１１０は、生成部１５０で生成された通知情報を、表示機器指定部１４０で指定された表示機器へ送信する（Ｓ２１５）。
【０１０１】
［表示機器の制御方法］
図１０を参照しながら、上述した表示機器３０の制御方法について説明する。図１０は、実施の形態１に係る表示機器３０における制御の流れを示すフローチャートである。
【０１０２】
まず、通信部３１０は、情報通知装置１０から通知情報を受信する（Ｓ３０１）。
【０１０３】
次に、制御部３２０は、通知情報を受信した際に、表示部３３０に表示させる（Ｓ３０２）。
【０１０４】
そして、表示部３３０は、制御部３２０の命令を受け、表示部３３０に通知情報を表示する（Ｓ３０３）。
【０１０５】
［機器、表示機器および情報通知装置のシーケンス］
図１１、図１２Ａおよび図１２Ｂは、機器、表示機器および情報通知装置の一連の動作の流れを示すシーケンス図である。図１１は、図８Ａ〜図１０で説明した機器、表示機器および情報通知装置それぞれの動作をまとめて示したものである。図８Ａ〜図１０と同様の要素には同一の符号を付しており、要素内に表記されている言葉は簡略化しているものの、同様の処理であるため詳細な説明は省略する。
【０１０６】
なお、図１１に示すように、Ｓ１０４の処理は機器２０で行われるとしているが、それに限らない。例えば、図１２Ａに示すように、Ｓ１０４の処理を情報通知装置１０が行うとしてもよい。その場合には、機器２０は、Ｓ１０４を行わずに、Ｓ１１３で履歴情報と機器情報とを情報通知装置１０へ送信するだけでよい。この場合、情報通知装置１０は、Ｓ１０４で、Ｓ２０１で受信した制御情報および状態情報を時間情報と関連付けて履歴情報として、機器２０の記憶部２４０に記憶させるとともに、Ｓ２０２で情報収集データベース１２０に登録すればよい。
【０１０７】
また、図１１に示すように、Ｓ２１４の処理は情報通知装置１０で行われるとしているが、それに限らない。例えば、図１２Ｂに示すように、Ｓ２１４の処理を表示機器３０が行うとしてもよい。この場合、情報通知装置１０は、Ｓ２１４を行わずに、Ｓ２１５で表示機器３０に通知情報を表示すべき旨を送信するだけでよい。そして、表示機器３０は、Ｓ３０１で通知情報を表示すべき旨を受信すると、Ｓ２１４で表示すべき通知情報を生成すれればよい。
【０１０８】
なお、機器、表示機器および情報通知装置が行う処理は、図１１、図１２Ａおよび図１２Ｂに示される例に限定されるものではない。図１１〜図１２Ｂで図示された機器、表示機器および情報通知装置が行う一部の処理を異なる機器、表示機器または情報通知装置で行うとしてもよい。
【０１０９】
［効果］
以上、本実施の形態によれば、通知情報を適切な表示場所かつ適切なタイミングで行なうことができる情報通知装置１０を実現できる。
【０１１０】
より具体的には、情報通知装置１０は、判断部１３０で機器２０の履歴情報から通知情報の生成が必要か否かを判断し、表示機器指定部１４０で適切な表示機器を指定する。それにより、ユーザにとって適切な表示機器かつ適切なタイミングで通知情報を表示させることができ、ユーザが通知情報の見落とすことが抑制される。
【０１１１】
（変形例１）
実施の形態１では、ユーザにとって適切な表示機器かつ適切なタイミングで通知情報を表示させることで、ユーザの通知情報の見落としを抑制する場合の例について説明した。
【０１１２】
しかし、たとえ適切な表示機器かつ適切なタイミングで通知情報が表示されることで、ユーザの見落としは減ったとしても、ユーザが通知情報に対して、実際にアクションを起こせる場所にいなければ、対応できないばかりかその後対応できる場所に移動しても通知情報を忘れてしまっている可能性が残っている。例えば、電動アシスト自転車の充電をしてくださいという通知情報をユーザが外出先で受け取っても、充電をすることができず、自宅に帰ったときにはそのことを忘れている場合がある。そこで、本変形例では、この可能性を少なくするために、ユーザが対応可能な場所にいるときに、通知情報を送信する方法について説明する。
【０１１３】
図１３は、実施の形態１の変形例１に係るシステム構成を示すブロック図である。図２Ｂと同様の要素には同一の符号を付しており、説明を省略する。図１３に示すシステム構成は、図２Ｂに示すシステム構成に対して、情報通知装置１１と外部端末５０Ａの構成が異なる。
【０１１４】
外部端末５０Ａは、例えば、携帯電話（スマートフォン、フィーチャーフォン）であり、ＧＰＳ（Ｇｌｏｂａｌ  Ｐｏｓｉｔｉｏｎｉｎｇ  Ｓｙｓｔｅｍ）情報を取得できる端末である。
【０１１５】
情報通知装置１１は、情報通知装置１０の機能に加えて、外部端末５０ＡからＧＰＳ情報を受信する。なお、外部端末５０ＡからＧＰＳ情報を受信する場合に限らない。例えば持ち運び可能な機器２０にＧＰＳ情報を取得できる機能が搭載されており、そこからＧＰＳ情報（位置情報）を受信するとしてよい。例えば、電動アシスト自転車にＧＰＳ機能が搭載されている場合には、そこから位置情報は取得できる。また、この場合、外部端末５０Ａと機器２０とが同じ機器であってもよい（機器２０が自転車、外部端末５０Ａも自転車）。外部端末５０Ａと持ち運び可能な機器２０が同一の機器であっても、外部端末５０Ａと機器２０とが異なる機器である場合と同様の説明となるため、以下では、外部端末５０Ａは機器２０とは異なる機器とし、情報通知装置１１は外部端末５０ＡからＧＰＳ情報を取得するとして説明する。
【０１１６】
［情報通知装置の構成］
図１４は、実施の形態１の変形例１に係る情報通知装置１１の機能的構成を示すブロック図である。図５と同様の要素には同一の符号を付しており、説明を省略する。図１４に示す情報通知装置１１は、図５に示す情報通知装置１０に対して、通信部１１１と判断部１３１の構成が異なり、位置情報特定部１７０が追加されている。
【０１１７】
通信部１１１は、通信部１１０の機能を備えている。通信部１１１は、さらに外部端末５０ＡからＧＰＳ情報を受信し、外部端末５０Ａの履歴情報として、情報収集データベース１２０に外部端末５０Ａにおけるユーザ情報と機器情報と履歴情報とを関連付けて登録する。なお、通信部１１１は、外部端末５０ＡのＧＰＳ情報を等間隔（例えば５秒おき）に受信しても、外部端末５０Ａに要求することで受信するとしてもよい。また、外部端末５０Ａの履歴情報に時間情報が含まれていない場合、実施の形態１と同様に、情報収集データベース１２０に登録の際に、時間情報を付して登録を行えばよい。
【０１１８】
位置情報特定部１７０は、ユーザの位置を特定する。より具体的には、位置情報特定部１７０は、情報収集データベース１２０に登録されている外部端末５０Ａの履歴情報に含まれる最新のＧＰＳ情報を取得し、ユーザの位置情報を特定する。ここで、ユーザの位置情報とは、例えば、宅内にいるまたは宅外にいるというユーザの位置を示す情報である。なお、ユーザの位置情報は、例えば大阪府門真市大字門真などの詳しい住所等でもよい。また、情報収集データベース１２０には、ユーザの自宅の住所がユーザ情報として登録されており、ＧＰＳの情報から、ユーザが自宅にいるまたは宅外にいる等は判別可能である。
【０１１９】
判断部１３１は、判断部１３０の機能を備える。判断部１３１は、さらに、情報収集データベース１２０に保持された第１履歴情報に含まれる情報が予め定められた条件を満たしている場合、かつ、特定されたユーザの位置が通知情報に対してユーザが対応できる位置と予め定められた位置である場合に、第１機器に関する通知情報の送信が必要と判断する。
【０１２０】
具体的には、判断部１３１は、実施の形態１で説明した特定情報が満たす条件に加えて、位置情報特定部１７０で特定したユーザの位置情報を元に、通知情報の生成の必要の有無を判断する。
【０１２１】
なお、特定されたユーザの位置が通知情報に対してユーザが対応できる位置と予め定められた位置であることを規定する情報、換言すると通知情報によりアクション（対応）が必要となる機器２０に対してユーザがどの位置にいる時に通知情報を表示させるか否か決める情報は、機器２０の機器情報に関連付けられて保持されている。この情報によれば、例えば、機器２０が電動アシスト自転車の場合は、ユーザが家にいる時に、電池残量が減っている旨を示す通知情報を表示させることができる。また、例えば機器２０がエアコンで、ユーザがエアコンを切り忘れている場合には、ユーザが宅外にいる時に、エアコンがついている旨を示す通知情報を表示させることができる。なお、保持される情報は、判断部１３１で保持していてもよいし、情報収集データベース１２０内で保持されるとしてもよい。
【０１２２】
［情報通知装置の制御方法］
次に、図１５〜図１７を参照しながら、上述した情報通知装置１１の制御方法について説明する。図１５〜図１７は、実施の形態１の変形例１に係る情報通知装置１１における制御の流れを示すフローチャートである。なお、図９Ａおよび図９Ｂと同一のステップには同一の符号を付しており、説明を省略する。
【０１２３】
まず、通信部１１１は、機器２０から機器２０の履歴情報と機器情報とを、外部端末５０Ａから外部端末５０Ａの機器情報とＧＰＳ情報とを受信する（Ｓ４０１）。
【０１２４】
次に、通信部１１１は、それぞれの機器情報を元に、履歴情報とＧＰＳ情報と機器情報とを、ユーザ情報と関連付けて、情報収集データベース１２０に登録する（Ｓ４０２）。
【０１２５】
また、情報通知装置１１は、図１５を用いて説明した制御と並行に、図１６および図１７に示す処理を行う。
【０１２６】
すなわち、まず、図１６に示すように、位置情報特定部１７０は、ＧＰＳ情報とユーザ情報である住所の情報とを取得する（Ｓ４１１）。次いで、位置情報特定部１７０は、取得したＧＰＳ情報を元に、ユーザの位置情報を特定する（Ｓ４１２）。そして、特定した位置情報を判断部１３１に送信する（Ｓ４１３）。
【０１２７】
また、図１７に示すように、Ｓ４２１において、判断部１３１は、位置情報特定部１７０から送信されたユーザの位置情報を取得する。次いで、判断部１３１は、履歴情報に含まれる特定情報と条件との組み合わせに加えて、ユーザの位置情報から、通知情報の生成が必要か否かを判断する（Ｓ４２２）。例えば、機器２０が電動自転車の場合、電動自転車の電池残量が２０％以下であり、さらに、ユーザが現在自宅にいる場合に通知情報の生成が必要と判断する。
【０１２８】
なお、Ｓ２１３以降は上述したのと同様のため説明を省略する。
【０１２９】
［効果］
以上、本変形例によれば、通知情報を適切な表示場所かつ適切なタイミングで行なうことができる情報通知装置１１を実現できる。
【０１３０】
より具体的には、情報通知装置１１は、位置情報特定部１７０でユーザの位置を特定することで、ユーザが通知情報に対応可能な適切な場所にいる時に通知情報を表示することができる。それにより、ユーザは通知情報に対して、アクションが起こしやすくなり、通知情報を忘れてしまう可能性を少なくできる。
【０１３１】
（変形例２）
本変形例では、図１８を参照しながら、変形例１とは異なる情報通知装置について説明する。
【０１３２】
図１８は、実施の形態１の変形例２に係る情報通知装置１２を示すブロック図である。なお、図５および図１４と同様の要素には同一の符号を付しており、説明を省略する。図１８に示す情報通知装置１２は、図１４に示す情報通知装置１１に対して、位置情報特定部１７１と表示機器指定部１４１との構成が異なる。
【０１３３】
位置情報特定部１７１は、情報収集データベース１２０に保持されている複数の機器の履歴情報に含まれる制御情報を参照して、複数の機器のうち最も現在に近い時間情報を含む履歴情報を有する第２機器を特定する。
【０１３４】
より具体的には、位置情報特定部１７１は、位置情報特定部１７０の機能に加えて、さらに、機器２０を含む複数の機器のうち表示機器３０の役割も果たすことのできる１以上の機器の履歴情報に含まれる制御情報を参照して、制御情報が最新である機器を特定する。
【０１３５】
例えば、テレビや携帯電話などは機器２０であって表示機器３０の役割も果たせる機器である。位置情報特定部１７１は、ユーザが機器２０であるテレビを操作している場合に、そのテレビの制御情報が最新であると特定する。換言すると、最も現在時刻に近い時間に操作された制御情報を有する機器を特定することで、ユーザは、特定した機器を操作しているまたは近くにいることが予想できるからである。
【０１３６】
表示機器指定部１４１は、さらに、位置情報特定部１７１により特定された第２機器が表示機構を有していた場合には、第２機器を、第１機器に関する通知情報を送信すべき表示機器として指定する。
【０１３７】
より具体的には、表示機器指定部１４１は、表示機器指定部１４０の機能を有する。表示機器指定部１４１は、さらに、位置情報特定部１７１により特定された表示機器３０の役割も果たすことのできる機器２０を表示機器３０として指定する。例えば、機器２０が電動アシスト自転車であり、表示機器３０が携帯電話であるとする。位置情報特定部１７１により制御情報が最新である機器２０がテレビと特定された場合、表示機器指定部１４１は、表示機器３０を携帯電話ではなくて、テレビと指定する。それにより、通知情報がテレビに表示される。
【０１３８】
［効果］
以上、本変形例によれば、通知情報を適切な表示場所かつ適切なタイミングで行なうことができる情報通知装置１２を実現できる。
【０１３９】
より具体的には、情報通知装置１２は、位置情報特定部１７１で、最も現在時刻に近い時間に操作された機器を特定することで、ユーザは、特定した機器を操作しているまたは近くにいることが予想できる。そのため、表示機器指定部１４１は、位置情報特定部１７１により特定された機器を指定することにより、指定された機器で通知情報が表示されることになるので、ユーザに通知情報をさらに効率よく伝えることができる。例えば、ユーザがテレビを見ている時に、テレビに通知情報が表示されることで、ユーザに対して通知情報を確実に伝えることができる。
【０１４０】
（変形例３）
本変形例では、図１９〜図２２を参照しながら、実施の形態１とは異なる情報通知装置、表記機器について説明する。
【０１４１】
［情報通知装置の構成］
図１９は、実施の形態１の変形例３に係る情報通知装置の機能的構成を示すブロック図である。なお、図５と同様の要素については、同一の符号を付しており、その説明を省略する。図１９に示す情報通知装置１３は、図５に示す情報通知装置１０に対して、通信部１１２と生成部１５１との構成が異なる。
【０１４２】
生成部１５１は、生成部１５０の機能を備える。生成部１５１は、さらに、通知情報に合わせて、機器２０の制御コマンドを生成する。例えば、生成部１５１は、機器２０がエアコンの場合、「エアコンを切り忘れていませんか？」を示す通知に加えて、「エアコンの電源を切りますか？『はい』ｏｒ『いいえ』」という機器２０の制御を促す通知を含む通知情報を生成する。そして、生成部１５１は、制御を促す通知において『はい』を押下された場合に機器２０を制御する制御コマンドも同時に生成する。
【０１４３】
通信部１１２は、通知情報に加え、機器２０の制御コマンドを表示機器３１に送信する。さらに通信部１１２は、通知情報に加えて、操作コマンドを表示機器３１に送信するとしてもよい。
【０１４４】
［表示機器の構成］
図２０は、実施の形態１の変形例３に係る表示機器の機能的構成を示すブロック図である。図２０に示す表示機器３１は、図４に示す表示機器３０に対して、通信部３１１と制御部３２１と、表示部３３１の構成が異なり、入力部３４０が追加されている。
【０１４５】
通信部３１１は、情報通知装置１３から通知情報と制御コマンドを受信する。
【０１４６】
制御部３２１は、受信した通知情報を表示部３３１に表示させる。本変形例では、制御部３２１は、ユーザに機器２０の操作を促す通知情報を表示させる。
【０１４７】
また制御部３２１は、入力部３４０でユーザにより入力された情報を元に生成された機器２０に対する制御コマンドを、通信部３１１からネットワーク４０を介して機器２０に送信する。
【０１４８】
表示部３３１は、ユーザに機器２０の操作を促す通知情報を表示する。
【０１４９】
入力部３４０は、表示部３３１に表示された内容を元に、ユーザによる入力を受け付ける。
【０１５０】
［情報通知装置の制御方法］
次に、図２１を参照しながら、上述した情報通知装置１３の制御方法について説明する。
【０１５１】
図２１は、実施の形態１の変形例３に係る情報通知装置１３における制御の流れを示すフローチャートである。図９Ａおよび図９Ｂと同一のステップについては、同一の符号を付しており、その説明を省略する。
【０１５２】
まず、Ｓ２１１〜Ｓ２１３は、上述したので説明を省略する。
【０１５３】
次に、Ｓ５０１において、生成部１５１は、指定された表示機器に表示させる通知情報と表示機器３１を制御するための制御コマンドとを生成する（Ｓ５０１）。
【０１５４】
次に、通信部１１２は、生成部１５１で生成された通知情報と制御コマンドを、表示機器指定部１４０により指定された表示機器に送信する（Ｓ５０２）。
【０１５５】
［表示機器の制御方法］
次に、図２２を参照しながら、上述した表示機器３１の制御方法について説明する。
【０１５６】
図２２は、実施の形態１の変形例３に係る表示機器３１における制御の流れを示すフローチャートである。図１０と同一のステップについては、同一の符号を付しており、その説明を省略する。
【０１５７】
まず、通信部３１１は、情報通知装置１３から通知情報と機器２０の制御コマンドとを受信する（Ｓ６０１）。
【０１５８】
次に、制御部３２１は、上述したように、通知情報を受信した際に、表示部に表示させ（Ｓ３０２）、表示部３３１は、制御部３２１の命令を受け、表示部３３１に通知情報を表示する（Ｓ３０３）。
【０１５９】
次に、入力部３４０は、表示部３３１に表示された通知情報を元にユーザの入力操作を受け付ける（Ｓ６０２）。
【０１６０】
次に、制御部３２１は、入力部３４０で受け付けた入力情報を元に生成した制御コマンドを機器２０に送信する必要があるかを判断する（Ｓ６０３）。
【０１６１】
制御部３２１が機器２０への制御コマンドの送信が必要ないと判断した場合（Ｓ６０３でＮＯ）、一連の流れを終了する。一方、制御部３２１が機器２０への制御コマンドの送信が必要と判断した場合（Ｓ６０３でＹＥＳ）、通信部３１１は制御コマンドを機器２０に送信する（Ｓ６０４）。
【０１６２】
［効果］
以上、本変形例によれば、通知情報を適切な表示場所かつ適切なタイミングで行なうことができる情報通知装置１３を実現できる。
【０１６３】
より具体的には、情報通知装置１３は、生成部１５１で、機器２０の制御コマンドを生成することにより、ユーザが通知情報を受け取った際に、同時に機器２０を制御することも可能になる。
【０１６４】
（実施の形態２）
実施の形態２では、機器２０が洗濯機や照明であり、表示機器３０がスマートフォンである場合を例に挙げて説明する。
【０１６５】
［情報通知装置の構成］
図２３は、実施の形態２に係る情報通知装置の機能的構成を示すブロック図である。なお、図５と同様の構成要素については、同一の符号を付しており、その説明を省略する。図２３に示す情報通知装置１４は、図５に示す情報通知装置１０に対して、判断部１３２の構成が異なり、パターン抽出部１８０の構成が追加されている。
【０１６６】
パターン抽出部１８０は、情報収集データベース１２０に保持されている第１履歴情報を参照して、ユーザが第１機器を使用するときの使用パターンを抽出する。
【０１６７】
より具体的には、パターン抽出部１８０は、情報収集データベース１２０に蓄積されたユーザの様々な機器の履歴情報やそれに含まれる時間情報から、ユーザの機器を使用する際の行動習慣（行動パターン）を抽出する。例えば、抽出される機器の使用パターンとしては、毎日寝る前に洗濯機を動かしているといったユーザの行動習慣や、毎日の電動アシスト自転車の走行距離が長いため、電動自転車の電池残量が３０％以下になったら充電を行なっているといったユーザ特有の行動習慣（行動パターン）である。
【０１６８】
なお、パターン抽出部１８０は、相関分析や時系列分析などのデータマイニング技術によりユーザの使用パターンを抽出する。また、パターン抽出部１８０が使用パターンを抽出するタイミングは、情報通知装置１４の管理者が指定したタイミングでもよく、等間隔（例えば１週間に１回）で行なうとしてもよい。
【０１６９】
判断部１３２は、判断部１３０の機能を備える。判断部１３２は、さらに、第１履歴情報から、パターン抽出部１８０により抽出された使用パターンに示される第１機器の使用がなされていないと判断した場合に、使用パターンに示される第１機器の使用を促す旨を示す通知情報の送信が必要と判断する。そして、生成部１５０は、第１機器の使用を促す旨を示す通知情報を生成し、通信部１１０は、表示機器指定部１４０により指定された表示機器に、生成された通知情報を送信する。
【０１７０】
より具体的には、判断部１３２は、情報収集データベース１２０から機器２０の履歴情報を取得し、パターン抽出部１８０から、機器２０に関わる使用パターン（機器２０を使用するユーザの使用パターン）を取得する。判断部１３２は、取得した使用パターンに関係する機器の履歴情報やそれに含まれる時間情報を取得する。例えば、機器２０が洗濯機である場合、判断部１３２が、その洗濯機の履歴情報を取得し、パターン抽出部１８０から洗濯機の使用パターンを取得したとき、その使用パターンに洗濯機の所有ユーザが、夜寝る前（２３時以降で照明が全て消る前）に洗濯をするというユーザの行動習慣が示されているとする。この場合、判断部１３２は、この使用パターンでは照明の情報によって寝る前と判断しているため、さらに照明の履歴情報を取得する。
【０１７１】
また、判断部１３２は、機器２０の履歴情報に含まれる特定情報から、取得した使用パターンに示される機器２０の使用がなされていないと判断した場合（取得した使用パターンと現在の使用とが異なる場合）、通知情報の生成が必要であると判断する。ここで、特定情報とは、洗濯機の履歴情報に含まれる情報であり、例えば洗濯機の電源の情報である。また、使用パターンに示される機器２０である洗濯機の使用がなされていないとは、夜照明が全て消えているのに洗濯機の電源が入っていないことである。この場合、判断部１３２は、ユーザが洗濯を忘れていると判断できるため、通知情報の生成が必要と判断できる。このように機器２０の履歴情報と、抽出した使用パターンに加えて、機器２０に関係する別の機器の履歴情報または時間情報から、使用パターンに示される機器２０の使用がなされていないと判断した場合には、通知情報の生成が必要と判断することができる。
【０１７２】
［情報通知装置の制御方法］
次に、図２４〜図２６を参照しながら、上述した情報通知装置１４の制御方法について説明する。図２４〜図２６は、実施の形態２に係る情報通知装置１４における制御の流れを示すフローチャートである。図９Ａおよび図９Ｂと同一のステップには同一の符号を付しており、説明を省略する。
【０１７３】
図２４に示す制御の流れは、図９Ａで説明した通りであるため、説明を省略する。
【０１７４】
情報通知装置１４は、図２４を用いて説明した制御と並行に、図２５および図２６に示す処理を行う。すなわち、まず、パターン抽出部１８０は、情報収集データベース１２０から複数の機器の履歴情報を取得する（図２５のＳ７０１）。
【０１７５】
次に、パターン抽出部１８０は、データマイニング手法で、使用パターンを抽出する（Ｓ７０２）。
【０１７６】
また、判断部１３２は、情報収集データベース１２０から、履歴情報と機器情報とを取得する（図２６のＳ２１１）。
【０１７７】
次に、判断部１３２は、情報収集データベース１２０から取得した機器情報に関係する使用パターンをパターン抽出部１８０から取得する（Ｓ７１１）。
【０１７８】
次に、判断部１３２は、取得した使用パターンを参照して、その使用パターンに関係する別の機器情報と履歴情報または時間情報を取得する（Ｓ７１２）。
【０１７９】
次に、判断部１３２は、取得した使用パターンと、取得した履歴情報とが異なるかを判断する（Ｓ７１３）。具体的には、判断部１３２は、取得した使用パターンに示される機器２０の使用がなされていないかどうかを判断する。
【０１８０】
判断部１３２は、取得したパターンと取得した履歴情報が同じ場合（Ｓ７１３でＮＯ）、一連の流れを終了する。
【０１８１】
一方、取得した使用パターンと取得した履歴情報が異なる場合（Ｓ７１３でＹＥＳ）、表示機器指定部１４０は、機器情報から表示機器を指定する（Ｓ２１３）。
【０１８２】
次に、生成部１５０は、指定された表示機器に表示させる通知情報を生成する（Ｓ２１４）。通信部１１０は、生成部１５０で生成された通知情報を、表示機器指定部１４０で指定された表示機器へ送信する（Ｓ２１５）。
【０１８３】
［効果］
以上、本実施の形態によれば、通知情報を適切な表示場所かつ適切なタイミングで行なうことができる情報通知装置１４を実現できる。
【０１８４】
より具体的には、情報通知装置１４は、パターン抽出部１８０で、ユーザ特有の使用パターンを抽出することで、個々のユーザに適したタイミングや条件で、通知情報を伝えることができる。それにより、ユーザは、より適切なタイミングで通知情報を受け取ることができる。
【０１８５】
以上のように、上記実施の形態によれば、通知情報を適切な表示場所かつ適切なタイミングで行なうことができる情報通知装置を実現できる。
【０１８６】
１）なお、上記各実施の形態において、各構成要素は、専用のハードウェアで構成されるか、各構成要素に適したソフトウェアプログラムを実行することによって実現されてもよい。各構成要素は、ＣＰＵまたはプロセッサ等のプログラム実行部が、ハードディスクまたは半導体メモリ等の記録媒体に記録されたソフトウェアプログラムを読み出して実行することによって実現されてもよい。ここで、上記各実施の形態の情報通知装置等を実現するソフトウェアは、次のようなプログラムである。
【０１８７】
すなわち、このプログラムは、コンピュータに、ユーザからの入力を受け付けて動作する複数の機器のうちの第１機器から、前記第１機器を一意に識別する第１機器情報と、前記第１機器の制御情報および前記第１機器の状態を示す状態情報の少なくとも一方の履歴を含む前記第１機器の第１履歴情報とを受信する通信を行う通信ステップと、前記第１機器を所有する前記ユーザの情報と前記第１機器情報とを関連付けて保持している情報収集データベースに、前記通信ステップで受信した前記第１機器情報に基づいて、保持している前記第１機器情報に、受信した前記第１履歴情報を関連付けて保持する保持ステップと、前記情報収集データベースに保持された前記第１履歴情報に含まれる情報が予め定められた条件を満たす場合に、前記第１機器に関する通知情報の送信が必要と判断する判断ステップと、前記１以上の機器それぞれに関する通知情報を送信すべき１以上の表示機器を示す送信先情報と、受信した前記第１機器情報とに基づいて、複数の表示機器のうち前記第１機器に関する前記通知情報を表示すべき表示機器を指定する表示機器指定ステップと、前記判断ステップにおいて前記第１機器に関する前記通知情報の送信が必要と判断された場合に当該通知情報を生成する生成ステップと、を実行させ、前記通信ステップにおいては、さらに、前記表示機器指定ステップにより指定された表示機器に、生成された前記通知情報を送信する通信を行う。
【０１８８】
また、上記各実施の形態において、通知情報の表示は、方法で実現されてもよい。例えば、ユーザからの入力を受け付けて動作する複数の機器と、前記複数の機器それぞれから動作状態に関する情報を取得する情報通知装置と、前記情報通知装置から前記複数の機器のうち少なくとも第１機器の動作状態に関する情報を取得し表示する複数の表示機器と、を制御するシステムにおける情報表示方法であって、前記第１機器の動作状態に関する情報が予め定められた条件を満たす場合に前記第１機器の動作状態に関する情報の通知が必要と判断し、前記複数の表示機器のうち前記第１機器の動作状態に関する通知を表示すべき第１表示機器を指定して通知し、通知された前記第１機器の動作状態に関する情報を、指定された前記第１表示機器に表示するとしてもよい。
【０１８９】
ここで、例えば、さらに、前記複数の機器のうち前記第１機器と異なる第２機器の動作状態に関する情報が予め定められた条件を満たす場合に前記第２機器の動作状態に関する情報の通知が必要と判断し、前記複数の表示機器のうち前記第２機器の動作状態に関する通知を表示すべき前記第１表示機器とは異なる第２表示機器を指定して通知し、通知された前記第２機器の動作状態に関する情報を、指定された前記第２表示機器に表示するとしてもよい。
【０１９０】
また、例えば、さらに、前記第１表示機器に、通知された前記第１機器の動作状態に関する情報と共に、前記第２表示機器に前記第２機器の動作状態が表示されている旨を表示するとしてもよい。
【０１９１】
また、例えば、さらに、前記第１表示機器の画面に、前記ユーザが所有する前記複数の表示機器を示すアイコンの一覧と、前記ユーザが所有する前記複数の機器を示すアイコンの一覧と、を共に表示し、前記画面において、前記第１機器を示すアイコンを、前記第１表示機器を示すアイコンに対応付けるユーザの操作を受け付けることで、前記第１表示機器を前記複数の表示機器のうち前記第１機器の動作状態に関する通知を表示すべき表示機器と指定するとしてもよい。
【０１９２】
２）上記各実施の形態では、機器が一般家庭等で使用される家電機器等である場合について説明したが、機器は、例えば、工場等で使用される工作機器等の産業用機器であってもよい。
【０１９３】
３）上記各実施の形態では、情報通知装置が、メーカなどで保有されるウェブサーバである場合について説明したが、情報通知装置は、例えば、家庭内の設置される宅内サーバであってもよい。
【０１９４】
４）上記各実施の形態では、情報収集データベース１２０が情報通知装置内に含まれる構成を示したが、情報収集データベース１２０は情報通知装置の外部に設置されるデータベースであってもよい。
【０１９５】
５）上記各実施の形態では、図７に示すような送信先情報は、情報通知装置１０または機器２０の利用者(ユーザ）などに設定されるとして説明したが、それに限らない。情報通知装置１０等を提供するメーカ側が送信先情報を初期設定として設定するとしてもよい。その場合、メーカ側は、例えば機器２０が電動自転車の場合、表示機器をテレビにし、機器２０がエアコンの場合、表示機器をスマートフォンにするなど送信先情報を初期設定として設定するとしてもよい。
【０１９６】
６）また、送信先情報をユーザが設定する場合において、スマートフォンやパソコンなどから、情報収集データベース１２０に登録されている自分の機器のリスト（機器リスト）を見ることができ、自分が登録している機器ごとに通知情報の表示機器を選択できるとしてもよい。この場合、表示機器は、データベース情報取得部と入力部と表示部と有するとすればよい。より具体的には、表示部は、取得した機器情報を表示し、入力部は、ユーザの操作を受け付ける。データベース情報取得部は、入力部からデータベース情報の取得命令があった時に、情報収集データベース１２０に、ユーザの所有（保有）する機器リスト情報を要求する。情報通知装置は、入力部でユーザが機器に対する通知情報を表示する表示機器を選択した場合、表示機器からこの情報を収集し、表示機器指定部の内容を更新する。
【０１９７】
ここで、表示機器でもあるスマートフォンに自分の機器のリストがアイコンとして表示されている場合に、機器ごとに通知情報の表示機器を選択する場合の例について、図２７および図２８を参照しながら説明する。
【０１９８】
図２７は、表示機器候補と機器がアイコンで表示されている表示画面の一例を示す図である。図２８は、図２７の画面上での送信先情報の設定の一例を説明するための図である。
【０１９９】
図２７に示す例では、表示機器３０Ｂでもあるスマートフォンの表示部３３０に機器のリストが機器ごとに機器を示すアイコンで表示されており、ユーザが所有（保有）している表示機器の一覧が表示機器を示すアイコンで表示されている。具体的には、図２７に示す例では、機器としてエアコンのアイコン３５１と、電動自転車のアイコン３５２と、洗濯機のアイコン３５３とが表示され、表示機器としてスマートフォンのアイコン３５４と、テレビのアイコン３５６とが表示されている。
【０２００】
この場合、ユーザは、例えば電動自転車に対する通知情報を表示すべき表示機器をスマートフォンに設定したい場合、図２８の（ａ）から図２８の（ｂ）に示すように、表示部３３０上の電動自転車のアイコン３５２をドラッグしてスマートフォンのアイコン３５４に重ね合わせる。それにより、電動自転車に対する通知情報を表示する表示機器がスマートフォンとして設定される。このとき、例えば図２８の（ｃ）に示すように、表示部３３０において、スマートフォンのアイコン３５４上に電動自転車のアイコン３５２ｃが小さく重ね合わせられて表示するなどで設定がなされていることが示されるとしてもよい。
【０２０１】
なお、図２８の（ｃ）では、テレビのアイコン３５６上に、エアコンのアイコン３５１ｃが小さく重ね合わせられて表示されていることから、エアコンに対する通知情報を表示する表示機器としてテレビが設定されていることがわかる。
【０２０２】
７）通知情報の表示機器を設定（選択）する方法は、上記６）の例に限らない。例えば、表示機器３０Ｂであるスマートフォンが、選択する表示機器を促す情報を表示するとしてもよい。
【０２０３】
図２９Ａおよび図２９Ｂは、機器のアイコンごとに表示機器候補のアイコンが表示されている表示画面の一例を示す図である。すなわち、図２９Ａに示すように、ユーザが所有（保有）している表示機器のアイコンの近傍に、その表示機器を通知情報の送信先として選択する機器の候補をアイコンで表示されるとしてもよい。また、図２９Ｂに示すように、機器のアイコンの近傍に、その機器に対応する通知情報を送信する表示装置の候補をアイコンで表示するとしてもよい。
【０２０４】
図２９Ａに示す例では、情報通知装置１０等の提供側（メーカ）の実績やユーザが過去行った履歴等から数多く選択した機器をランキングで表示しており、上位のランキングのものをデフォルトで対応づけられている。より詳細には、スマートフォンは、電動自転車に対する通知情報を表示する表示装置としてデフォルトで選択されており、テレビは、エアコンに対する通知情報を表示する表示機器としてデフォルトで選択されている。また、図２９Ｂに示す例では、情報通知装置１０等の提供側（メーカ）の実績やユーザが過去行った履歴等から数多く選択した表示機器をランキングで表示しており、上位のランキングのものをデフォルトで対応づけられている。より詳細には、電動自転車に対する通知情報を表示する表示機器がスマートフォン、エアコンに対する通知情報を表示する表示機器としてテレビがデフォルトで選択されている。
【０２０５】
このようにすることで、ユーザは、表示部３３０上で、機器ごとに対する表示機器の選択を容易に行うことができる。
【０２０６】
８）上記各実施の形態では、図７に示すような送信先情報が、情報通知装置１０等または機器２０の利用者(ユーザ）により設定される例を説明したが、それに限られない。例
えば、ユーザにより送信先情報が設定された場合でも、さらに、情報通知装置１０等によって世間一般でよく指定されている表示機器にも表示されるように設定されるとしてもよい。
【０２０７】
つまり、例えば、一般的にエアコンに対する通知情報の表示する表示装置としてＴＶが指定されている場合には、ユーザにより設定された表示機器に加えてＴＶも表示機器に指定することで、テレビにも通知情報を表示させるとしてもよい。
【０２０８】
ここで、これを実現する情報通知装置の構成について説明する。
【０２０９】
図３０は、世間一般でよく指定されている表示機器にも表示されるように設定する情報通知装置１０Ｂの機能的構成を示すブロック図である。図５と同様の要素には同一の符号を付しており、説明を省略する。図３０に示す情報通知装置１０Ｂは、図５に示す情報通知装置１０に対して、集計部１９０が追加されている。
【０２１０】
集計部１９０は、情報収集データベース１２０が保持（記録）する情報を用いて、保持（登録）されている複数の機器と表示機器とについて集計を行い、その結果を表示機器指定部１４０に伝達する。
【０２１１】
表示機器指定部１４０は、伝達された結果に基づいて、ユーザが設定した表示機器に加えて上位の組み合わせである表示機器も指定する。
【０２１２】
このようにして、情報通知装置１０Ｂは、情報収集データベース１２０が保持（記録）する情報を用いて、保持（登録）されている複数の機器と表示機器とについて集計を行い、上位の組み合わせについて適用する。これにより、ユーザの設定した表示機器に加えて、上位の組み合わせとして適用された表示機器にも通知情報を表示することができる。
【０２１３】
９）上記各実施の形態において、ユーザが送信先情報において指定された一の表示機器の画面で機器に対する通知情報を見ている場合に、さらに別の機器に対する通知情報が重ねて表示されるとしてもよい。
【０２１４】
この場合の例について図３１Ａ〜図３１Ｃを用いて説明する。
【０２１５】
図３１Ａおよび図３１Ｂは、通知情報を表示している表示機器を示す情報を表示する表示画面の一例を示す図である。すなわち、図３１Ａに示す例では、ユーザは、表示機器３０Ｂであるスマートフォンの表示部３３０（表示画面）で、電動自転車に対する通知情報を確認している。すると、図３１Ｂに示すように、さらに、エアコン動作があった旨を示す通知情報が表示される。
【０２１６】
このようにすることで、別の機器に対する通知情報が重ねて表示されることで、ユーザが通知情報を見落とすことを抑制できる。
【０２１７】
なお、送信先情報において指定された一の表示機器の画面に同時に通知情報が表示される表示態様は、上記の場合に限らず、図３１Ｃに示すような、並列に表示されるとしてもよい。ここで、図３１Ｃは、通知情報を表示している表示機器を示す情報を表示する表示画面の別の一例を示す図である。
【０２１８】
１０）また、上記各実施の形態において、ユーザがある表示機器の画面を見ているが、その表示機器が送信先情報において指定されていない場合、通知情報を表示している表示機器を示す情報を表示するとしてもよい。以下、この場合の例について以下説明する。
【０２１９】
図３２は、通知情報を表示している表示機器を示す情報を表示する表示画面の一例を示す図である。図３２に示す例では、ユーザは、スマートフォンである表示機器３０Ｂの表示部３３０（表示画面）で、電動自転車の履歴情報または電動自転車に対する通知情報を確認している場合に、エアコン動作状況についての通知情報がテレビに表示されている旨が表示されている。
【０２２０】
このように、送信先情報で指定されている表示機器に通知情報が表示されているという情報を、指定されている表示機器とは異なる表示機器３０Ｂの表示部３３０に表示されるとしてもよい。換言すると、情報通知装置１０等は、送信先情報で指定されている表示機器に通知情報を送信し、その通知情報のサブ情報を指定されている表示装置とは異なる表示機器に送信して、サブ情報を表示させるとしてもよい。
【０２２１】
１１）また、上記各実施の形態において、送信先情報において指定されている表示機器の中でエラーが起きている表示機器があった場合には、その旨を表示機器の表示画面で表示するとしてもよい。以下、この場合の例について以下説明する。
【０２２２】
図３３は、表示機器の中でエラーが起きている旨が表示されている表示画面の一例を示す図である。なお、図２８と同様の要素には同一の符号を付しており、説明を省略する。
【０２２３】
図３３に示す例では、表示機器の一つであるテレビに電源が入っていない等の理由で、テレビでは、通知情報を表示できない（または送信できない）場合、スマートフォンである表示機器３０Ｂの表示部３３０で、エラーであるテレビを示すアイコン３５６ｄが示されている。ここで、エアコンを示す小さなアイコン３５１ｄがエラーであるテレビを示すアイコン３５６ｄの近傍にあることからわかるように、テレビは、エアコンに対する通知情報を表示する表示機器として指定されている。
【０２２４】
この場合、テレビとは異なる表示機器に通知情報を表示する。すなわち、図３３に示す例では、エアコンを示す小さなアイコン３５１ｃがスマートフォンビを示すアイコン３５４の近傍にもあることからわかるように、異なる表示機器としてスマートフォンに表示されている。
【０２２５】
このように、表示機器にエラーが起きている場合に通知情報を表示する方法としては、指定された表示機器と異なる表示機器として優先順位が高いものから順に通知情報を表示するよう設定されるとしてもよい。
【０２２６】
なお、異なる表示機器の優先順位の決め方は、ユーザが指定してもよいし、提供側(メーカ）が指定しているとしてもよいし、最新の操作があった表示機器と同体の機器から順番に指定するとしてもよい。また、情報収集データベース１２０に登録されている設定値の上から順に表示するとしてもよいし、ユーザの家族構成と同じ人が設定している機器の上位順に設定するとしてもよい。
【０２２７】
１２）また、上記各実施の形態において、情報通知装置は、ユーザの生活パターンに基づき、通知情報を表示しない場合があってもよい。例えば、情報通知装置の判断部は、照明などの機器の履歴情報から、ユーザの起床時刻と就寝時刻とを判断し、ユーザの生活パターンを推定する。そして、判断部は、ユーザが就寝中と思われる時間帯には通知情報を生成しないと判断し、表示機器に通知情報を送信しないとしてもよい。
【０２２８】
ここで、判断部は、例えば１か月間の照明の履歴情報から、照明の消える時間を集計した平均の値を就寝時間とすることでユーザの生活パターンを推定することができる。また、判断部は、照明の履歴情報から、例えば午後１０時以降家の照明がすべてＯＦＦになった時をユーザの就寝時間として推定することができる。
【０２２９】
また、判断部は、例えば、エアコンの履歴情報に基づき、エアコンのセンサ情報からユーザが就寝中と判断できる場合には、表示機器に通知情報を送信しないとしてもよい。また、判断部は、例えば、エアコンの履歴情報に基づき、エアコンの人感センサから、人の動きの検知結果を確認し、ユーザが就寝中と判断できる場合には、表示機器に通知情報を送信しないとしてもよい。なお、判断部は、人感センサの検知結果（値）に基づき、ユーザのいつもの生活パターンと比較することでユーザの就寝時間を推定できる。もちろん、就寝時間に限らず、起床時間も同様である。
【０２３０】
以下、この場合の表示機器の表示画面の例について説明する。
【０２３１】
図３４は、ユーザの生活パターンに基づき、通知情報を表示しなかった場合の表示機器の表示画面の一例を示す図である。なお、図２８と同様の要素には同一の符号を付しており、説明を省略する。
【０２３２】
ユーザが起床時に、図３４の（ａ）に示すように、表示機器３０Ｂであるスマートフォンの表示部３３０に表示される洗濯機を示すアイコン３５３をタッチして、その運転状況履歴を確認したとする。すると、図３４の（ｂ）に示すように、表示部３３０に昨晩の運電状況履歴（表示されなかった洗濯機に関する通知情報）が表示される。ここでは、ユーザが就寝中であったため、通知情報を送信されなかった（非通知）であったことも表示部３３０に表示されている。
【０２３３】
なお、ユーザが就寝中であることを情報通知装置が判断して、通知情報を送信しない場合に限らず、例えば、図３５に示すように、ユーザが予め通知情報を送信しない時間帯を設定するとしてもよい。図３５は、通知情報を表示しない時間帯を設定できる表示機器の表示画面の一例を示す図である。すなわち、図３５に示すように、ユーザはスマートフォンである表示機器３０Ｂの表示部３３０(表示画面）上で、通知情報を送信しない時間帯
（非通知時刻）を設定できるとしてもよい。
【０２３４】
１３）また、上記各実施の形態において、情報通知装置は、表示機器指定部により指定された表示機器に通知情報を送信する場合に、照明や機器のライト等などを点滅することで、指定された表示機器に通知情報が表示されている旨を注意喚起（アラート）するとしてもよい。
【０２３５】
この場合のシーケンス図を、図３６に示す。図３６は、機器、表示機器、情報通知装置および照明の一連の動作の流れを示すシーケンス図である。なお、図１２Ａと同様の要素には同一の符号を付しており、説明を省略する。
【０２３６】
図３６では、情報通知装置１０は表示機器指定部により指定された表示機器に通知情報を送信する場合に照明やライト等の光る部分を有する機器の光る部分を制御する制御信号も同時に送信する。光る部分を有する機器は、その制御信号を受け取ったら、制御信号に従って、その機器の光る部分を動作させる。このように、ライトや照明の点滅といった光る部分によって、スマートフォンなど指定された表示機器に通知情報が表示されている旨の注意喚起を行うことができる。
【０２３７】
なお、表示機器は、スマートフォンに限らないのはいうまでもない。また、光る部分の動作は、ユーザの通知情報に対するアクションを感知できた時に、止めるとしてもよい。
【０２３８】
また、光る部分が機器のライトの場合、ライトの色や発光間隔で、通知情報の内容や通知情報が表示されている表示機器の違いを表してもよい。
【０２３９】
また、注意喚起を行う方法は、光だけでなく音を用いて行ってもよい。その場合、音程や間隔などで、通知情報の内容や通知情報が表示されている表示機器の違いを表してもよい。さらに、注意喚起を行うための音色や音はユーザが自由に設定できとしてもよく、他のユーザも含む全員の設定値などの集計結果に基づき設定するとしてもよい。
【０２４０】
（実施の形態３）
実施の形態１の変形例１では、ユーザが通知情報に対して、実際にアクションを起こせる場所にいるときに、通知情報を送信する方法について説明した。
【０２４１】
本実施の形態では、ユーザが存在する場所に合わせて（場所に応じて）通知情報を送信する方法について説明する。
【０２４２】
図３７は、実施の形態３に係るシステム構成を示すブロック図である。図２Ａと図１３と同様の要素には同一の符号を付しており、説明を省略する。
【０２４３】
図３７に示すシステム構成は、図２Ａに示すシステム構成に対して、情報通知装置１５の構成が異なり、センサ２１Ａ等のセンサ２１が追加され、表示機器３０が提示機器３２となっている点で構成が異なる。
【０２４４】
センサ２１は、例えば人感センサ、熱センサ、重量センサなどであり、ユーザの住居に設置されていたり、機器２０に設置されたりする。
【０２４５】
提示機器３２は、表示ディスプレイを搭載した表示機器に限らず、スピーカなどを有して音声をユーザに提示する機器であってもよく、色変化もしくは点滅の可能な照明を有する機器であってもよい。
【０２４６】
［情報通知装置の構成］
図３８は、実施の形態３に係る情報通知装置の機能的構成を示すブロック図である。
【０２４７】
図３８に示す情報通知装置１５は、通信部１１２、情報収集データベース１２１、判断部１３３、提示機器指定部１４２、生成部１５２、および位置情報特定部１７３を備える。
【０２４８】
通信部１１２は、提示機器指定部１４２により指定された提示機器に、生成部１５２で生成された通知情報を送信する。
【０２４９】
本実施の形態では、通信部１１２は、さらに、ユーザからの入力を受け付けて動作する複数の機器のうちの第１機器（機器２０）から、第１機器を一意に識別する第１機器情報と、第１機器の制御情報および第１機器の状態を示す状態情報の少なくとも一方の履歴を含む第１機器の第１履歴情報とを受信する。通信部１１２は、複数の機器のうち機器２０から、機器情報と履歴情報とを受信し、情報収集データベース１２１に登録する。ここで、機器２０からの機器情報と履歴情報とは、通信部１１２が要求したタイミングで取得するとしても良いし、機器２０で設定された間隔または機器２０から送信されたタイミングで取得するとしても良いし、通信部１１２で設定された等間隔（例えば５秒）で取得するとしてもよい。履歴情報に時間情報が含まれていない場合、実施の形態１と同様に、情報収集データベース１２１に登録の際に、時間情報を付して登録を行えばよい。
【０２５０】
なお、通信部１１２は、ネットワーク４０から現在の日時情報を受信するとしてもよい。
【０２５１】
情報収集データベース１２１は、管理情報を保持する。情報収集データベース１２１は、管理情報として、通信部１１２で受信した第１機器情報と第１履歴情報とを関連付けて保持する。
【０２５２】
なお、情報収集データベース１２１は、管理情報として、ユーザが習慣的に行う行動と、当該行動を行うべき第１日時情報とを関連付けて保持するとしてもよい。
【０２５３】
位置情報特定部１７３は、ユーザの位置情報を特定する。ここで、ユーザの位置情報とは、例えば、ユーザが宅内（住居内）にいるまたは宅外（住居外、住居周辺）にいる、玄関にいる、玄関近くにいる、特定の部屋にいる、特定の部屋にいないなどユーザの位置を示す情報である。
【０２５４】
なお、例えば、位置情報特定部１７３は、ＧＰＳを用いてユーザの位置情報を特定してもよい。また、例えば、位置情報特定部１７３は、電子キーなどユーザの住居の玄関の鍵が操作された操作履歴または当該玄関の照明が操作された操作履歴を用いて、ユーザの現在の位置が住居内または住居の玄関にいることを特定するとしてもよい。また、位置情報特定部１７３は、例えば人感センサおよび熱センサのうち少なくとも１つを用いたセンサであってユーザの住居の特定の部屋に設置されたセンサ２１を用いてユーザの現在の位置が住居の特定の部屋であることを特定するとしてもよい。また、位置情報特定部１７３は、例えば人感センサおよび熱センサのうち少なくとも１つを用いたセンサ２１であってユーザの住居の玄関または玄関付近に設置されたセンサ２１を用いてユーザの現在位置が住居の玄関または玄関近くであることを特定するとしてもよい。また、位置情報特定部１７３は、例えばユーザの住居の玄関に設置された装置とユーザが可視光通信を行うことでユーザが住居の玄関近くにいることを特定するとしてもよい。
【０２５５】
判断部１３３は、情報収集データベース１２１が保持する管理情報（履歴情報）に含まれる情報が予め定められた条件を満たし、かつ、位置情報特定部１７３により特定されたユーザの現在の位置が予め定められた位置である場合に、ユーザに対して通知情報の送信が必要と判断する。
【０２５６】
具体的には、判断部１３３は、特定情報が条件を満たすか否かと、位置情報特定部１７３で特定したユーザの現在の位置とに基づいて、通知情報の生成の必要の有無を判断する。ここで、特定情報とは、管理情報に含まれる情報である。本実施の形態では、管理情報が履歴情報を含むので、特定情報は履歴情報に含まれる情報としてもよい。
【０２５７】
例えば、機器２０が電動自転車である場合、管理情報に含まれる情報（履歴情報に含まれる情報）は、電動自転車（機器２０）の電池残量の値であり、予め定められた条件は、電動自転車（機器２０）の電池残量の値がその電動自転車（機器２０）に充電の必要な予め定められた値以下であることである。この場合、予め定められた位置は、電動自転車（機器２０）が置かれているユーザの住居内または住居周辺であり、例えば住居の玄関であってもよい。
【０２５８】
提示機器指定部１４２は、１以上の機器それぞれに関する通知情報を送信すべき１以上の提示機器を示す送信先情報を保持している。提示機器指定部１４２は、送信先情報と受信した第１機器情報（機器２０の機器情報）とに基づいて、複数の提示機器のうち第１機器（機器２０）に関する通知情報を表示すべき提示機器を指定する。ここで、提示機器とは、例えば、携帯電話（スマートフォンやフィーチャーフォン）、タブレット、テレビ、ディスプレイ付の冷蔵庫や洗濯機など、表示ディスプレイを搭載した表示機器であってもよいし、スマートグリッド用宅内ディスプレイ、携帯端末、および、色変化もしくは点滅の可能な照明を含む機器であってもよい。つまり、提示機器とは、実施の形態１の表示機器であってもよく、さらにスマートグリッド用宅内ディスプレイ、携帯端末、および、色変化もしくは点滅の可能な照明を含む機器であってもよいことを意味する。
【０２５９】
生成部１５２は、判断部１３３においてユーザに対して通知情報の送信が必要と判断された場合に、位置情報特定部１７３により特定されたユーザの現在の位置に応じた内容で通知情報を生成する。ここで、通知情報は、メール形式で生成してもよいし、プッシュ通知のように表示部（ディスプレイ）に表示する形式で生成してもよい。また、通知情報は、提示機器３２内にインストールされているアプリを自動的に立ち上げて、アプリ上で表示させる形式で生成してもよい。また、通知情報は、ユーザに通知すべき内容の音声データを含むとしてもよいし、照明の点滅などにより注意喚起を行うための照明を制御するためのコマンドを含むとしても良い。
【０２６０】
［情報通知装置の制御方法］
次に、以上のように構成された情報通知装置１５の制御方法について説明する。
【０２６１】
以下では、機器２０が電動自転車であり、管理情報に含まれる情報は、機器２０の電池残量の値を含む履歴情報であるとして説明する。
【０２６２】
図３９は、実施の形態３に係る情報通知装置における制御の流れを示すフローチャートである。
【０２６３】
まず、判断部１３３は、情報収集データベース１２１から、履歴情報を取得する（Ｓ８１１）。本実施の形態では、判断部１３３は、電動自転車（機器２０）の現在の充電残量を含む履歴情報を取得する。ここでは、電動自転車の電池残量が２０％以下であるなど電池残量が少ないことを示す履歴情報を取得したとする。
【０２６４】
次に、判断部１３３は、位置情報特定部１７３からユーザの現在の位置を取得する（Ｓ８１２）。本実施の形態では、判断部１３３は、センサ２１や履歴情報からユーザの現在の位置を示す位置情報を取得する。
【０２６５】
次に、判断部１３３は、特定情報および条件を含む履歴情報と、ユーザの現在の位置を示す位置情報とから、通知情報の生成が必要か否かを判断する（Ｓ８１３）。本実施の形態では、例えば、電動自転車（機器２０）の電池残量が少なく（２０%以下など）、さら
に、ユーザが自宅の玄関、玄関近く、または自宅内（住居内）にいる場合に通知情報の生成が必要と判断する。ここで、特定情報は、電動自転車（機器２０）の電池残量である。また、条件は、電動自転車の電池残量が２０％以下など、電動自転車の電池残量の値が第１機器に充電の必要な予め定められた値以下であり、かつ、ユーザの現在の位置が玄関または玄関近くである。
【０２６６】
判断部１３３が通知情報の生成の必要が無いと判断した場合（Ｓ８１３でＮＯ）、一連の流れを終了する。一方、判断部１３３が通知情報の生成が必要と判断した場合（Ｓ８１３でＹＥＳ）、提示機器指定部１４２は、１以上の提示機器のうち通知情報を表示すべき提示機器を指定する（Ｓ８１４）。ここで、指定する提示機器は、予めユーザなどにより指定されたものであってもよいし、ユーザが玄関近くにいる場合には、玄関近くに設置されているディスプレイ等を指定するとしてもよい。
【０２６７】
次に、生成部１５２は、指定された提示機器に送信する通知情報を生成する（Ｓ８１５）。本実施の形態では、生成部１５２は、例えば、「充電してください」という旨を示す通知情報を生成する。ここで、通知情報は、ディスプレイに表示される形式で生成されるとしてもよいし、音声で伝達される形式（音声データ）で生成されるとしてもよいし、ユーザの現在位置から見える照明を点滅等させるコマンドが生成されるとしてもよい。
【０２６８】
そして、通信部１１２は、生成部１５２で生成された通知情報を、提示機器指定部１４２で指定された提示機器３２へ送信する（Ｓ８１６）。
【０２６９】
［効果］
以上、本実施の形態によれば、通知情報を適切な表示場所（提示場所）かつ適切なタイミングで行なうことができる情報通知装置１５を実現できる。
【０２７０】
より具体的には、機器２０の一つである電動自転車の充電残量が少ない場合、ユーザの現在位置が住居の玄関のときに、電動自転車を充電する旨の通知情報を提供する。つまり、情報通知装置１５は、管理情報（履歴情報）に含まれる特定情報に基づき、位置情報特定部１７３でユーザの位置を特定することで、ユーザの現在位置に応じた通知情報を表示することができる。それにより、ユーザは通知情報に対して、アクションが起こしやすくなり、通知情報を忘れてしまう可能性を少なくできる。
【０２７１】
なお、本実施の形態では、特定情報として、電動自転車（機器２０）の充電残量を例に挙げて説明したが、それに限らない。電動自転車（機器２０）の電池パックの消耗度であってもよいし、電動自転車（機器２０）に電池パックがささっているか否かの情報でもよいし、電動自転車（機器２０）のメンテナンスが必要な時期であるか否かの情報でもよい。
【０２７２】
（変形例１）
実施の形態３では、機器２０が電動自転車の場合に、管理情報（履歴情報）に含まれる情報に基づき、ユーザが存在する場所に応じた通知情報を送信する方法の例について説明した。本変形例では、機器２０が、エアコン、照明またはＩＨ（Induction Heating）を
利用した機器の場合において、管理情報（履歴情報）に含まれる情報に基づき、ユーザが存在する場所に応じて通知情報を送信する方法について説明する。なお、本変形例におけるシステム構成は、図３７に示すシステム構成対して、情報通知装置１５の構成が異なる以外は同じであるため説明は省略する。
【０２７３】
［情報通知装置の構成］
図４０は、実施の形態３の変形例１に係る情報通知装置の機能的構成を示すブロック図である。
【０２７４】
図４０に示す情報通知装置１５Ａは、図３８に示す情報通知装置１５に対して、判断部１３３Ａ、生成部１５２Ａおよび通信部１１２Ａの機能が異なる。その他の構成については、図３８に示す情報通知装置１５と同様のため、以下では、異なる部分を中心に説明する。
【０２７５】
判断部１３３Ａは、情報収集データベース１２１が保持する管理情報に含まれる情報が予め定められた条件を満たし、かつ、位置情報特定部１７３により特定されたユーザの現在の位置が予め定められた位置である場合に、ユーザに対して通知情報の送信が必要と判断する。
【０２７６】
例えば、機器２０が、エアコン、照明またはＩＨ（Induction Heating）を利用した機器などの場合、管理情報に含まれる情報（履歴情報に含まれる情報）は、機器２０が動作中または停止中であるかを示す機器２０の稼働状況に関する情報を含む。この場合、予め定められた条件は、例えば機器２０が動作中であることであり、予め定められた位置は、例えば機器２０が設置されている部屋以外の場所である。なお、この場合において、予め定められた条件を、機器２０が動作中であり、かつ、機器２０が設置されている部屋に子供が居ると検知されたことであるとしてもよい。
【０２７７】
生成部１５２Ａは、判断部１３３Ａにおいてユーザに対して通知情報の送信が必要と判断された場合に、位置情報特定部１７３により特定されたユーザの現在の位置に応じた内容で通知情報を生成する。本変形例では、生成部１５２Ａは、判断部１３３Ａにおいて通知情報の送信が必要と判断された場合に、ユーザに機器２０の停止を含む制御を促す旨の情報と、機器２０が動作中である旨を示す情報とを含む通知情報を生成する。ここで、通知情報は、上述したように、メール形式で生成してもよいし、プッシュ通知のように提示機器３２の表示部（ディスプレイ）に表示する形式で生成してもよいし、提示機器３２内にインストールされているアプリを自動的に立ち上げて、アプリ上で表示させる形式で生成してもよい。また、通知情報は、ユーザに通知すべき内容の音声データを含むとしてもよいし、照明の点滅などにより注意喚起を行うための照明を制御するためのコマンドを含むとしても良い。また、ユーザに機器２０の停止を含む制御（ユーザにアクション）を促す旨の情報には、機器２０を停止させるか否かを選択（アクションを選択）させる情報が含まれているとしてもよい。
【０２７８】
通信部１１２Ａは、通信部１１２の機能を有する。本変形例では、通信部１１２Ａは、さらに、ユーザからのアクションを示す情報を受信し、機器２０の制御を行う。例えば、通信部１１２Ａは、ユーザから機器２０を制御するための制御コマンドなどを受け付けて、機器２０に送信することにより機器２０の制御を行う。
【０２７９】
［情報通知装置の制御方法］
次に、以上のように構成された情報通知装置１５Ａの制御方法の具体例について説明する。
【０２８０】
以下では、機器２０がＩＨであり、管理情報に含まれる情報は、機器２０の現在の稼動状況を含む履歴情報であるとして説明する。
【０２８１】
図４１は、実施の形態３の変形例１に係る情報通知装置における制御の流れを示すフローチャートである。
【０２８２】
まず、判断部１３３Ａは、情報収集データベース１２１から、履歴情報を取得する（Ｓ８３１）。本変形例では、判断部１３３Ａは、ＩＨ（機器２０）の現在の稼動状況を含む履歴情報を取得する。ここでは、ＩＨが動作中であるなど機器２０が稼動中であることを示す履歴情報を取得したとする。
【０２８３】
次に、判断部１３３Ａは、位置情報特定部１７３からユーザの現在の位置を取得する（Ｓ８３２）。本変形例では、判断部１３３Ａは、センサ２１や履歴情報からユーザの現在の位置を示す位置情報を取得する。
【０２８４】
次に、判断部１３３Ａは、特定情報および条件を含む履歴情報と、ユーザの現在の位置を示す位置情報とから、通知情報の生成が必要か否かを判断する（Ｓ８３３）。本変形例では、例えば、ＩＨ（機器２０）が稼動中（動作中）であり、ユーザがＩＨ（機器２０）の設置されている部屋以外の場所にいる場合に通知情報の生成が必要と判断する。ここで、特定情報は、ＩＨ（機器２０）が稼動中（動作中）か否かの情報である。また、条件は、ＩＨ（機器２０）が稼動中（動作中）であり、かつ、ユーザの現在の位置がＩＨ（機器２０）の設置されている部屋以外の場所にいる場合である。
【０２８５】
判断部１３３Ａが通知情報の生成の必要が無いと判断した場合（Ｓ８３３でＮＯ）、一連の流れを終了する。一方、判断部１３３Ａが通知情報の生成が必要と判断した場合（Ｓ８３３でＹＥＳ）、提示機器指定部１４２は、１以上の提示機器のうち通知情報を表示すべき提示機器を指定する（Ｓ８３４）。ここで、指定する提示機器は、予めユーザなどにより指定されたものであってもよいし、ユーザの現在の位置の部屋に設置されているディスプレイ等を指定するとしてもよい。
【０２８６】
次に、生成部１５２Ａは、指定された提示機器に送信する通知情報を生成する（Ｓ８３５）。本変形例では、生成部１５２Ａは、例えば、ＩＨ（機器２０）が動作中である旨を示す情報と、例えば「ＩＨの動作を停止させますか」などユーザにＩＨ（機器２０）の停止を含む制御を促す旨の情報を含む通知情報を生成する。ここで、通知情報は、ディスプレイに表示される形式で生成されるとしてもよいし、音声で伝達される形式（音声データ）で生成されるとしてもよいし、ユーザの現在位置から見える照明を点滅等させるコマンドが生成されるとしてもよい。
【０２８７】
次に、通信部１１２Ａは、生成部１５２Ａで生成された通知情報を、提示機器指定部１４２で指定された提示機器へ送信する（Ｓ８３６）。
【０２８８】
次に、通信部１１２Ａは、ユーザからのアクションを示す情報を受信する（Ｓ８３７）。本変形例では、通信部１１２Ａは、ユーザからのアクションを示す情報として、例えばユーザからＩＨ（機器２０）を停止させるなど機器２０を制御するための制御コマンドなどを受信する。
【０２８９】
そして、通信部１１２Ａは、ユーザのアクションに応じた機器の制御を行う（Ｓ８３８）。本変形例では、通信部１１２Ａは、受信したＩＨ（機器２０）を制御するための制御コマンドをＩＨ（機器２０）に送信することで、ＩＨ（機器２０）を停止させるなどの制御を行う。
【０２９０】
なお、機器２０は、ＩＨに限らず、エアコンまたは照明であってもよい。いずれの場合も上述した制御方法と同様となるため説明は省略する。
【０２９１】
［効果］
以上、本変形例によれば、通知情報を適切な表示場所（提示場所）かつ適切なタイミングで行なうことができる情報通知装置１５Ａを実現できる。
【０２９２】
より具体的には、例えばＩＨ、エアコンまたは照明などの機器２０が稼動中である場合で、ユーザの現在位置が機器２０の設置されている部屋とは異なるときに、機器２０が稼動中である旨や機器２０を停止させる制御を促す旨の通知情報を提供する。つまり、情報通知装置１５Ａは、管理情報（履歴情報）に含まれる特定情報（現在の稼働状況）に基づき、位置情報特定部１７３でユーザの位置を特定することで、ユーザの現在位置に応じて通知情報を表示することができる。それにより、ユーザは通知情報に対して、アクションが起こしやすくなり、通知情報を忘れてしまう可能性を少なくできる。
【０２９３】
なお、例えばＩＨ、エアコンまたは照明などの機器２０が稼動中である場合において、ユーザの現在位置が機器２０の設置されている部屋とは異なるときに、機器２０が稼動中である旨や機器２０を停止させる制御を促す旨の通知情報を提供するとしてが、これらの場合に限らない。機器２０が稼動中である場合において、ユーザの現在位置が機器２０の設置されている部屋とは異なり、かつ、機器２０の設置されている部屋のセンサ２１Ａにより当該部屋に子供しかいないことが検知されたときに、通知情報を提供するとしてもよい。この場合、通知情報に、機器２０が稼動中であり、部屋に子供しかいない旨や機器２０を停止させる制御を促す旨の情報を含めるとしてもよい。
【０２９４】
（変形例２）
実施の形態３の変形例１では、管理情報（履歴情報）に含まれる情報（現在の稼動状況）に基づき、ユーザが存在する場所に応じた通知情報を送信し、送信する通知情報にユーザのアクションを促す情報を含める場合の例について説明した。本変形例では、管理情報（履歴情報）に含まれる情報（現在の稼動状況）に基づき、ユーザが存在する場所に応じて、機器を制御し、かつ、通知送信し、送信する通知情報には機器を制御した旨の情報を含める場合の例について説明する。
【０２９５】
なお、本変形例におけるシステム構成も、図３７に示すシステム構成対して、情報通知装置１５の構成が異なる以外は同じであるため説明は省略する。
【０２９６】
［情報通知装置の構成］
図４２は、実施の形態３の変形例２に係る情報通知装置の機能的構成を示すブロック図である。なお、図３８および図４０と同様の要素には同一の符号を付しており、詳細な説明は省略する。
【０２９７】
図４２に示す情報通知装置１５Ｂは、図４０に示す情報通知装置１５Ａに対して、生成部１５２Ｂの機能が異なり、制御部１３４の構成が追加されている。その他の構成については、図４０に示す情報通知装置１５Ａと同様のため、以下では、異なる部分を中心に説明する。
【０２９８】
制御部１３４は、判断部１３３Ａにおいてユーザに対して通知情報の送信が必要と判断された場合に、機器２０を停止する等の機器２０の制御を行う。ここで、機器２０が例えばＩＨの場合には、ＩＨを停止または弱火にするなどの制御を行い、機器２０が照明の場合には、照明を停止、減光する等の制御を行う。また、機器２０が例えばエアコンである場合には、エアコンを停止させる、温度設定を省エネになる方向に変更する制御を行うなどである。
【０２９９】
生成部１５２Ｂは、判断部１３３Ａにおいてユーザに対して通知情報の送信が必要と判断された場合に、位置情報特定部１７３により特定されたユーザの現在の位置に応じた内容で通知情報を生成する。本変形例では、生成部１５２Ｂは、判断部１３３Ａにおいて通知情報の送信が必要と判断された場合に、ユーザに、機器２０が動作中であったので機器２０の停止を含む制御を行った旨の通知情報を生成する。ここで、通知情報は、上述したように、メール形式で生成してもよいし、プッシュ通知のように提示機器３２の表示部（ディスプレイ）に表示する形式で生成してもよいし、提示機器３２内にインストールされているアプリを自動的に立ち上げて、アプリ上で表示させる形式で生成してもよい。また、通知情報は、ユーザに通知すべき内容の音声データを含むとしてもよいし、照明の点滅などにより注意喚起を行うための照明を制御するためのコマンドを含むとしても良い。
【０３００】
［情報通知装置の制御方法］
次に、以上のように構成された情報通知装置１５Ｂの制御方法の具体例について説明する。
【０３０１】
以下では、機器２０がＩＨであり、管理情報に含まれる情報は、機器２０の現在の稼動状況を含む履歴情報であるとして説明する。
【０３０２】
図４３は、実施の形態３の変形例２に係る情報通知装置における制御の流れを示すフローチャートである。なお、図４１と同様の要素には同一の符号を付しており、詳細な説明は省略する。
【０３０３】
Ｓ８３３において、判断部１３３Ａが通知情報の生成が必要と判断した場合（Ｓ８３３でＹＥＳ）、制御部１３４は、ＩＨ（機器２０）の制御を行い（Ｓ８３３Ａ）、提示機器指定部１４２は、１以上の提示機器のうち通知情報を表示すべき提示機器を指定する（Ｓ８３４）。
【０３０４】
次に、生成部１５２Ｂは、指定された提示機器に送信する通知情報を生成する（Ｓ８３５Ａ）。本変形例では、生成部１５２Ｂは、例えば、機器２０が動作中であったので機器２０の停止を含む制御を行った旨の通知情報を生成する。ここで、通知情報は、ディスプレイに表示される形式で生成されるとしてもよいし、音声で伝達される形式（音声データ）で生成されるとしてもよいし、ユーザの現在位置から見える照明を点滅等させるコマンドが生成されるとしてもよい。
【０３０５】
次に、通信部１１２は、生成部１５２Ｂで生成された通知情報を、提示機器指定部１４２で指定された提示機器へ送信する（Ｓ８３６Ａ）。
【０３０６】
なお、機器２０は、ＩＨに限らず、エアコンまたは照明であってもよい。いずれの場合も上述した制御方法と同様となるため説明は省略する。
【０３０７】
［効果］
以上、本実施の形態によれば、通知情報を適切な表示場所（提示場所）かつ適切なタイミングで行なうことができる情報通知装置１５Ｂを実現できる。
【０３０８】
より具体的には、例えばＩＨ、エアコンまたは照明などの機器２０が稼動中である場合で、ユーザの現在位置が機器２０の設置されている部屋とは異なるときに、機器２０を停止させ、機器２０が稼動中であったので停止させた旨を示す通知情報を提供する。つまり、情報通知装置１５Ｂは、管理情報（履歴情報）に含まれる特定情報（現在の稼動状況）に基づき、位置情報特定部１７３でユーザの位置を特定することで、ユーザの現在位置に応じて通知情報を表示することができる。それにより、ユーザは通知情報に対して、アクションが起こさずとも、通知情報を確認するだけでよいという効果を奏する。
【０３０９】
なお、例えばＩＨ、エアコンまたは照明などの機器２０が稼動中である場合において、ユーザの現在位置が機器２０の設置されている部屋とは異なるときに、機器２０を停止させ、機器２０が稼動中であったので停止させた旨の通知情報を提供する場合について説明したが、それに限らない。機器２０が稼動中である場合において、ユーザの現在位置が機器２０の設置されている部屋とは異なり、かつ機器２０の設置されている部屋のセンサ２１Ａにより当該部屋に子供しかいないことが検知されたときに、機器２０を停止させ、その後に通知情報を提供するとしてもよい。この場合、通知情報に、機器２０が稼動中であり、部屋に子供しかいなかったので機器２０を停止させる制御を行った旨の情報を含めるとすればよい。
【０３１０】
（実施の形態４）
実施の形態３では、機器２０が電動自転車の場合に、管理情報（履歴情報）に含まれる特定情報に基づき、ユーザが存在する場所に応じて、機器２０に関する通知情報であってユーザに対する通知情報を生成して送信する方法の例について説明した。本実施の形態では、ユーザが習慣的に行う行動と、当該行動を行うべき第１日時情報とを関連付けて保持する管理情報を用いて、ユーザに対する通知情報を生成して送信する方法の例について説明する。なお、本実施の形態におけるシステム構成は、図３７に示すシステム構成対して、情報通知装置１６の構成が異なる以外は同じであるため説明は省略する。
【０３１１】
［情報通知装置の構成］
図４４は、実施の形態４に係る情報通知装置の機能的構成を示すブロック図である。なお、図３８と同様の要素には同一の符号を付しており、詳細な説明は省略する。
【０３１２】
図４４に示す情報通知装置１６は、図３８に示す情報通知装置１５に対して、判断部１３３Ｂ、生成部１５３および通信部１１３の機能が異なり、情報収集データベース１２２に保持される管理情報の内容が異なる。その他の構成については、図３８に示す情報通知装置１５と同様のため、以下では、異なる部分を中心に説明する。
【０３１３】
情報収集データベース１２２は、管理情報を保持する。本実施の形態では、情報収集データベース１２２は、管理情報として、ユーザが習慣的に行う行動と、当該行動を行うべき第１日時情報とを関連付けて保持する。ここで、当該行動がゴミ捨てである場合には、当該行うべき第１日時情報は、例えばゴミ捨ての曜日かつ午前中といったようにごみ捨てが行われる日時に関する情報を含む。ゴミ捨ての曜日は、インターネットから収集しても良いし、最初から決められている曜日であっても良いし、ユーザが設定したとしてもよい。また午前中などのゴミ捨ての時間は、ゴミ回収がまだ終わっていない時間であってもよいし、ユーザが指定した時間であってもよいし、最初から決め打ちで決められている時間であっても良い。
【０３１４】
なお、情報収集データベース１２２は、さらに、管理情報として、通信部１１３で受信した第１機器情報と第１履歴情報とを関連付けて保持するとしてもよい。
【０３１５】
通信部１１３は、提示機器指定部１４２により指定された提示機器に、生成部１５３で生成された通知情報を送信する。また、通信部１１３は、ネットワーク４０から現在の日時情報を受信する。
【０３１６】
なお、情報収集データベース１２２が、さらに、管理情報として、通信部１１３で受信した第１機器情報と第１履歴情報とを関連付けて保持する場合には、通信部１１３は、複数の機器のうち機器２０から、機器情報と履歴情報とを受信し、情報収集データベース１２２に登録する。
【０３１７】
判断部１３３Ｂは、情報収集データベース１２２が保持する管理情報に含まれる情報が予め定められた条件を満たし、かつ、位置情報特定部１７３により特定されたユーザの現在の位置が予め定められた位置である場合に、ユーザに対して通知情報の送信が必要と判断する。
【０３１８】
本実施の形態では、判断部１３３Ｂは、通信部１１３の受信した現在の日時情報が管理情報に保持された第１日時情報を含むという予め定められた条件を満たし、かつ、特定されたユーザの現在の位置が予め定められた位置である場合に、通知情報の送信が必要と判断する。
【０３１９】
ここで、例えば、第１日時情報は、ゴミの収集が行われる日時であり、予め定められた位置は、例えばユーザの住居内または当該住居の玄関である。より具体的には、判断部１３３Ｂは、第１日時情報がゴミ捨ての曜日かつ午前中である場合において、ユーザが住居内の特定場所にいるときに、通知情報が必要と判断する。ここで、住居内の特定場所は、例えば玄関先でも良いし、住居内のキッチンの近くの場所でもよいし、ユーザが指定した場所であってもよい。つまり、当該行動を行うのが容易である場所など当該行動を行うためにユーザにとっての最適な場所であればよい。
【０３２０】
なお、ユーザが習慣的に行うまたは行うべき行動は、ゴミを出す行動に限らず、ご飯を炊く行動、ドラマを予約する行動であってもよい。この場合、第１日時情報は、ユーザがいつもご飯を炊く時間であったり、ユーザがいつもドラマを予約している時間であったりする。つまり、第１日情報は、ユーザの習慣の日時またはユーザに習慣的に促す日時であればよい。
【０３２１】
生成部１５３は、判断部１３３Ｂにおいてユーザに対して通知情報の送信が必要と判断された場合に、位置情報特定部１７３により特定されたユーザの現在の位置に応じた内容で通知情報を生成する。より具体的には、生成部１５３は、判断部１３３Ｂにおいて通知情報の送信が必要と判断された場合に、ユーザに対して、ユーザが習慣的に行う行動を促す旨の通知情報を生成する。
【０３２２】
本実施の形態では、生成部１５３は、例えばゴミ捨てを忘れないようにという旨の通知情報を生成する。
【０３２３】
［情報通知装置の制御方法］
次に、以上のように構成された情報通知装置１６の制御方法の具体例について説明する。
【０３２４】
以下では、ユーザが習慣的に行う行動を、ユーザが決まった日時にゴミを出す行動であるとして説明する。
【０３２５】
図４５は、実施の形態４に係る情報通知装置における制御の流れを示すフローチャートである。
【０３２６】
まず、通信部１１３は、ネットワーク４０等などから、現在の日時を示す現在の日時情報を取得する（Ｓ８４１）。
【０３２７】
次に、判断部１３３Ｂは、位置情報特定部１７３からユーザの現在の位置を取得する（Ｓ８４２）。本実施の形態では、判断部１３３Ｂは、センサ２１や履歴情報からユーザの現在の位置を示す位置情報を取得する。
【０３２８】
次に、判断部１３３Ｂは、現在の日時情報と、ユーザの現在の位置を示す位置情報とから、通知情報の生成が必要か否かを判断する（Ｓ８４３）。具体的には、判断部１３３Ｂは、第１日時情報がゴミ捨ての曜日かつ午前中である場合かつユーザが住居内の特定場所にいる場合に、通知情報が必要と判断する。
【０３２９】
判断部１３３Ｂが通知情報の生成の必要が無いと判断した場合（Ｓ８４３でＮＯ）、一連の流れを終了する。一方、判断部１３３Ｂが通知情報の生成が必要と判断した場合（Ｓ８４３でＹＥＳ）、提示機器指定部１４２は、１以上の提示機器のうち通知情報を表示すべき提示機器を指定する（Ｓ８４４）。
【０３３０】
次に、生成部１５３は、指定された提示機器に送信する通知情報を生成する（Ｓ８４５）。本実施の形態では、生成部１５３は、例えば、例えばゴミ捨てを忘れないようにという旨の通知情報など、ユーザに対してユーザが習慣的に行う行動を促す旨の通知情報を生成する。ここで、通知情報は、ディスプレイに表示される形式で生成されるとしてもよいし、音声で伝達される形式（音声データ）で生成されるとしてもよいし、ユーザの現在位置から見える照明を点滅等させるコマンドが生成されるとしてもよい。
【０３３１】
次に、通信部１１３は、生成部１５３で生成された通知情報を、提示機器指定部１４２で指定された提示機器へ送信する（Ｓ８４６）。
【０３３２】
なお、ユーザが習慣的に行う行動は、ユーザが決まった日時にゴミを出す行動に限らず、上述したように、ユーザがご飯を炊く行動であったり、ユーザがドラマを予約する行動であったりしてもよい。
【０３３３】
［効果］
以上、本実施の形態によれば、通知情報を適切な表示場所（提示場所）かつ適切なタイミングで行なうことができる情報通知装置１６を実現できる。
【０３３４】
より具体的には、例えば現在の日時がゴミ捨ての曜日かつ午前中である場合であり、ユーザが住居内の特定場所にいるときに、例えばゴミ捨てを忘れないようにという旨の通知情を提供する。つまり、情報通知装置１６は、管理情報に含まれる特定情報（ユーザが習慣的に行うべき行動とその日時）に基づき、位置情報特定部１７３でユーザの位置を特定することで、ユーザの現在位置に応じた通知情報を表示することができる。それにより、ユーザは通知情報に対して、アクションが起こしやすくなり、通知情報を忘れてしまう可能性を少なくできる。
【０３３５】
（実施の形態５）
実施の形態３では、管理情報（履歴情報）に基づき、ユーザが存在する場所に合わせて（場所に応じて）、ユーザに対する通知情報を生成して送信する方法の例について説明した。本実施の形態では、管理情報（履歴情報）に加えて機器の現在の状態を示す情報（センサ情報）に基づき、ユーザが存在する場所に応じて、ユーザに対する通知情報を生成して送信する方法の例について説明する。なお、本実施の形態におけるシステム構成は、図３７に示すシステム構成対して、情報通知装置１７の構成が異なる以外は同じであるため説明は省略する。
【０３３６】
［情報通知装置の構成］
図４６は、実施の形態５に係る情報通知装置の機能的構成を示すブロック図である。なお、図３８と同様の要素には同一の符号を付しており、詳細な説明は省略する。
【０３３７】
図４６に示す情報通知装置１７は、図３８に示す情報通知装置１５に対して、判断部１３５の機能が異なり、センサ情報取得部１７４が追加されている。その他の構成については、図３８に示す情報通知装置１５と同様のため、以下では、異なる部分を中心に説明する。
【０３３８】
センサ情報取得部１７４は、機器２０の現在の状態を示すセンサ情報を取得する。ここで、機器２０の現在の状態（センサ情報）は、機器２０に設けられるセンサ、または、機器２０が設置される設備に設けられるセンサ等により検出される。センサ情報取得部１７４は、当該センサにより検出されたセンサ情報を取得する。
【０３３９】
具体的には、機器２０が洗濯機の場合には、センサ情報は、例えば重量センサを用いて検出された現在の洗濯機の槽が空か否かの状態を示す情報である。また、機器２０がお風呂の場合には、センサ情報は、例えば重量センサを用いて検出された現在の前記風呂の栓の開または閉の状態を示す情報である。また、機器２０が炊飯器の場合には、センサ情報は、重量センサを用いて検出された現在の炊飯器の釜に米がセットされているか否かの状態を示す情報である。
【０３４０】
判断部１３５は、情報収集データベース１２１が保持する管理情報に保持された履歴情報に含まれる情報と、センサ情報取得部１７４により取得されたセンサ情報とが予め定められた条件を満たし、かつ、位置情報特定部１７３により特定されたユーザの現在の位置が予め定められた位置である場合に、ユーザに対して通知情報の送信が必要と判断する。
【０３４１】
具体的には、機器２０が洗濯機の場合には、洗濯機に対応する履歴情報は、例えば、洗濯機が動作中か否かを示す情報を含む。また、センサ情報は、例えば、現在の洗濯機の槽が空か否かの状態を示す情報を含む。判断部１３５は、履歴情報に含まれる情報として洗濯機が動作中か否かと、センサ情報が示す現在の洗濯機の槽が空か否かの状態に基づき、ユーザの現在の位置に応じて判断する。例えば、判断部１３５は、予め定められた条件として、洗濯機の動作が終了し、洗濯機の槽が空でない場合で、ユーザが洗濯機の置かれている部屋以外の場所にいる場合に、ユーザに対して通知情報の送信が必要と判断する。
【０３４２】
また、機器２０がお風呂の場合には、お風呂に対応する機器２０の履歴情報は、例えば、風呂を沸かす制御が行われたか否かを示す情報を含む。また、センサ情報は、例えば、現在の風呂の栓の状態が開または閉のいずれの状態であるのかを示す情報を含む。判断部１３５は、履歴情報に含まれる情報として風呂を沸かす制御が行われたか否かと、センサ情報が示す現在の前記風呂の栓の状態が開または閉かの状態に基づき、ユーザの現在の位置に応じて判断する。例えば、判断部１３５は、予め定められた条件として、風呂を沸かす制御が行われているが風呂の栓の状態が開の状態である場合に、ユーザが風呂の置かれている住居内に居る場合に、ユーザに対して通知情報の送信が必要と判断する。
【０３４３】
また、機器２０が炊飯器の場合には、炊飯器に対応する機器２０の履歴情報は、例えば、炊飯器が炊飯中または炊飯の予約中であるか否かを示す情報を含む。また、センサ情報は、例えば、炊飯器の釜に米がセットされているか否かの状態を示す情報を含む。判断部１３５は、履歴情報に含まれる情報として炊飯器が炊飯中または炊飯の予約中であるか否かと、センサ情報として現在の前記炊飯器の釜に米がセットされているか否かの状態に基づき、ユーザの現在の位置に応じて判断する。例えば、判断部１３５は、予め定められた条件として、炊飯器が炊飯の予約中であり、炊飯器の釜に米がセットされていない場合に、ユーザが炊飯器の置かれている住居内に居る場合に、ユーザに対して通知情報の送信が必要と判断する。
【０３４４】
なお、判断部１３５は、ユーザに対して通知情報の送信が必要と判断した場合でも、判断した時間が、ユーザが寝ていると考えら得る時間であれば、通知情報は必要ないとするとしてもよい。
【０３４５】
［情報通知装置の制御方法］
次に、以上のように構成された情報通知装置１７の制御方法の具体例について説明する。
【０３４６】
図４７は、実施の形態５に係る情報通知装置における制御の流れを示すフローチャートである。
【０３４７】
まず、判断部１３５は、情報収集データベース１２１から、履歴情報を取得する（Ｓ８５１）。本実施の形態では、判断部１３５は、機器２０の現在の稼動状況を含む履歴情報を取得する。例えば、機器２０が洗濯機であれば、洗濯機が動作中か否かを示す稼動状況に関する情報を含む履歴情報である。また、機器２０がお風呂であれば、風呂を沸かす制御が行われているかどうかを示す稼動状況を含む履歴情報であり、機器２０が炊飯器であれば、炊飯器が炊飯中または炊飯の予約中であるか否かを示す稼動状況を含む履歴情報である。
【０３４８】
次に、センサ情報取得部１７４は、機器２０の現在の状態を示すセンサ情報を取得する（Ｓ８５２）。なお、センサ情報の具体例は上述したとおりであるので説明を省略する。
【０３４９】
次に、判断部１３５は、位置情報特定部１７３からユーザの現在の位置を取得する（Ｓ８５３）。本実施の形態では、判断部１３５は、部屋に設置されたセンサ２１Ａや履歴情報からユーザの現在の位置を示す位置情報を取得する。
【０３５０】
次に、判断部１３５は、履歴情報と、ユーザの現在の位置を示す位置情報と、センサ情報とから、通知情報の生成が必要か否かを判断する（Ｓ８５４）。本実施の形態では、判断部１３５は、上述したように、情報収集データベース１２１が保持する管理情報に保持された履歴情報に含まれる情報と、センサ情報取得部１７４により取得されたセンサ情報とが予め定められた条件を満たし、かつ、位置情報特定部１７３により特定されたユーザの現在の位置が予め定められた位置である場合に、ユーザに対して通知情報の送信が必要と判断する。
【０３５１】
上述の例以外でも、例えば、機器２０がお風呂の場合には、判断部１３５は、ユーザが家の中にいてお風呂を沸かす制御をしたがお風呂の栓が開いておりお風呂を沸かせていない場合に、ユーザに対して通知情報の送信が必要と判断してもよい。また、例えば、機器２０が洗濯機の場合には、判断部１３５は、洗濯が終わっているのに、まだ洗濯槽に物が残っている旨やそもそも洗濯していない場合に、ユーザに対して通知情報の送信が必要と判断するとしてもよい。また、例えば、機器２０が炊飯器の場合には、判断部１３５は、お米がセットされているのに、炊飯や予約が行われていないなど場合に、ユーザに対して通知情報の送信が必要と判断するとしてもよい。
【０３５２】
判断部１３５が通知情報の生成の必要が無いと判断した場合（Ｓ８５４でＮＯ）、一連の流れを終了する。一方、判断部１３５が通知情報の生成が必要と判断した場合（Ｓ８５４でＹＥＳ）、提示機器指定部１４２は、１以上の提示機器のうち通知情報を表示すべき提示機器を指定する（Ｓ８５５）。
【０３５３】
次に、生成部１５２は、指定された提示機器に送信する通知情報を生成する（Ｓ８５６）。例えば、機器２０がお風呂の場合には、生成部１５２は、ユーザが家の中にいてお風呂を沸かす制御をしたがお風呂の栓が開いておりお風呂を沸かせていない旨の通知情報を生成する。また、例えば、機器２０が洗濯機の場合には、生成部１５２は、洗濯が終わっているのに、まだ洗濯槽に物が残っている旨やそもそも洗濯していない旨の通知情報を生成する。また、例えば、機器２０が炊飯器の場合には、生成部１５２は、お米がセットされているのに、炊飯や予約が行われていないなど旨の通知情報を生成する。
【０３５４】
通信部１１３は、生成部１５２で生成された通知情報を、提示機器指定部１４２で指定された提示機器へ送信する（Ｓ８５７）。
【０３５５】
［効果］
以上、本実施の形態によれば、通知情報を適切な表示場所（提示場所）かつ適切なタイミングで行なうことができる情報通知装置１７を実現できる。
【０３５６】
より具体的には、情報通知装置１７は、管理情報に加えて機器の現在の状態を示す情報（センサ情報）に基づき、位置情報特定部１７３で特定したユーザの現在位置に応じて通知情報を表示することができる。それにより、ユーザは通知情報に対して、アクションが起こしやすくなり、通知情報を忘れてしまう可能性を少なくできる。
【０３５７】
以上のように、上記実施の形態によれば、通知情報を適切な表示場所かつ適切なタイミングで行なうことができる情報通知方法および情報通知装置を実現できる。
【０３５８】
１）なお、上記各実施の形態において、各構成要素は、専用のハードウェアで構成されるか、各構成要素に適したソフトウェアプログラムを実行することによって実現されてもよい。各構成要素は、ＣＰＵまたはプロセッサ等のプログラム実行部が、ハードディスクまたは半導体メモリ等の記録媒体に記録されたソフトウェアプログラムを読み出して実行することによって実現されてもよい。ここで、上記各実施の形態の情報通知装置等を実現するソフトウェアは、次のようなプログラムである。
【０３５９】
すなわち、このプログラムは、管理情報を情報収集データベースに保持させる保持ステップと、ユーザの位置を特定する位置情報特定ステップと、前記情報収集データベースが保持する管理情報に含まれる情報が予め定められた条件を満たし、かつ、前記位置情報特定ステップにおいて特定された前記ユーザの現在の位置が予め定められた位置である場合に、前記ユーザに対して通知情報の送信が必要と判断する判断ステップと、１以上の提示機器のうち前記通知情報を表示すべき提示機器を指定する提示機器指定ステップと、前記判断ステップにおいて前記通知情報の送信が必要と判断された場合に、特定された前記ユーザの位置に応じた内容で前記通知情報を生成する生成ステップと、前記機器指定ステップにおいて指定された提示機器に、生成された前記通知情報を送信する通信を行う通信ステップと、を含む。
【０３６０】
また、前記保持ステップ、前記位置情報特定ステップ、前記判断ステップ、前記提示機器指定ステップ、前記生成ステップ、前記通信ステップの少なくとも１つはＣＰＵまたはプロセッサ等のプログラム実行部により行ってもよい。また上記ステップのうち、ＣＰＵまたはプロセッサ等のプログラム実行部により行われないステップは、専用のハードウェアで行っても良い。
【０３６１】
当然のことながら、前記保持ステップ、前記位置情報特定ステップ、前記判断ステップ、前記提示機器指定ステップ、前記生成ステップ、前記通信ステップの全てをＣＰＵまたはプロセッサ等のプログラム実行部により行ってもよい。
【０３６２】
また、前記保持ステップ、前記位置情報特定ステップ、前記判断ステップ、前記提示機器指定ステップ、前記生成ステップ、前記通信ステップの全てを専用のハードウェアで行っても良い。
【０３６３】
２）上記各実施の形態では、機器が一般家庭等で使用される家電機器等である場合について説明したが、機器は、例えば、工場等で使用される工作機器等の産業用機器であってもよい。
【０３６４】
３）上記各実施の形態では、情報通知装置が、メーカなどで保有されるウェブサーバである場合について説明したが、情報通知装置は、例えば、家庭内の設置される宅内サーバであってもよい。
【０３６５】
４）上記各実施の形態では、情報収集データベース１２１（１２２）が情報通知装置内に含まれる構成を示したが、情報収集データベース１２１（１２２）は情報通知装置の外部に設置されるデータベースであってもよい。
【０３６６】
以上、一つまたは複数の態様に係る情報通知装置およびその制御方法について、実施の形態に基づいて説明したが、本開示は、この実施の形態に限定されるものではない。本開示の趣旨を逸脱しない限り、当業者が思い付く各種変形を本実施の形態に施したものや、異なる実施の形態における構成要素を組み合わせて構築される形態も、一つまたは複数の態様の範囲内に含まれてもよい。
【０３６７】
なお、上記態様において説明された技術は、例えば、以下のクラウドサービスの類型において実現されうる。しかし、上記態様において説明された技術が実現される類型はこれに限られるものでない。
【０３６８】
（サービスの類型１：自社データセンタ型）
図４８は、サービスの類型１（自社データセンタ型）を示す図である。
【０３６９】
本類型は、サービスプロバイダ１２００がグループ１０００から情報を取得し、ユーザに対してサービスを提供する類型である。本類型では、サービスプロバイダ１２００が、データセンタ運営会社の機能を有している。すなわち、サービスプロバイダ１２００が、ビッグデータの管理をするクラウドサーバ１２０３を保有している。従って、データセンタ運営会社は存在しない。
【０３７０】
本類型では、サービスプロバイダ１２００は、データセンタ（クラウドサーバ１２０３）を運営、管理している。また、サービスプロバイダ１２００は、ＯＳ（１２０２）およびアプリケーション（１２０１）を管理する。サービスプロバイダ１２００は、サービスプロバイダ１２００が管理するＯＳ（１２０２）およびアプリケーション（１２０１）を用いてサービス提供を行う（１２０４）。
【０３７１】
（サービスの類型２：ＩａａＳ利用型）
図４９は、サービスの類型２（ＩａａＳ利用型）を示す図である。
【０３７２】
ここでＩａａＳとはインフラストラクチャー・アズ・ア・サービスの略であり、コンピュータシステムを構築および稼動させるための基盤そのものを、インターネット経由のサービスとして提供するクラウドサービス提供モデルである。
【０３７３】
本類型では、データセンタ運営会社がデータセンタ（クラウドサーバ１２０３）を運営、管理している。また、サービスプロバイダ１２００は、ＯＳ（１２０２）及びアプリケーション（１２０１）を管理する。サービスプロバイダ１２００は、サービスプロバイダ１２００が管理するＯＳ（１２０２）およびアプリケーション（１２０１）を用いてサービス提供を行う（１２０４）。
【０３７４】
（サービスの類型３：ＰａａＳ利用型）
図５０は、サービスの類型３（ＰａａＳ利用型）を示す図である。
【０３７５】
ここでＰａａＳとはプラットフォーム・アズ・ア・サービスの略であり、ソフトウェアを構築および稼動させるための土台となるプラットフォームを、インターネット経由のサービスとして提供するクラウドサービス提供モデルである。
【０３７６】
本類型では、データセンタ運営会社１１００は、ＯＳ（１２０２）を管理し、データセンタ（クラウドサーバ１２０３）を運営、管理している。また、サービスプロバイダ１２００は、アプリケーション（１２０１）を管理する。サービスプロバイダ１２００は、データセンタ運営会社が管理するＯＳ（１２０２）およびサービスプロバイダ１２００が管理するアプリケーション（１２０１）を用いてサービス提供を行う（１２０４）。
【０３７７】
（サービスの類型４：ＳａａＳ利用型）
図５１は、サービスの類型４（ＳａａＳ利用型）を示す図である。
【０３７８】
ここでＳａａＳとはソフトウェア・アズ・ア・サービスの略である。例えばデータセンタ（クラウドサーバ）を保有しているプラットフォーム提供者が提供するアプリケーションを、データセンタ（クラウドサーバ）を保有していない会社・個人（利用者）がインターネットなどのネットワーク経由で使用できる機能を有するクラウドサービス提供モデルである。
【０３７９】
本類型では、データセンタ運営会社１１００は、アプリケーション（１２０１）を管理し、ＯＳ（１２０２）を管理し、データセンタ（クラウドサーバ１１１０）を運営、管理している（１２０３）。また、サービスプロバイダ１２００は、データセンタ運営会社１１００が管理するＯＳ（１２０２）及びアプリケーション（１２０１）を用いてサービス提供を行う（１２０４）。
【０３８０】
以上、いずれの類型においても、サービスプロバイダ１２００がサービス提供行為を行ったものとする。また、例えば、サービスプロバイダ若しくはデータセンタ運営会社は、ＯＳ、アプリケーション若しくはビックデータのデータベース等を自ら開発してもよいし、また、第三者に外注させてもよい。
【産業上の利用可能性】
【０３８１】
本開示に係る技術は、ネットワーク化された機器の通知情報を送信する情報通知装置、情報通知方法に有用である。
【符号の説明】
【０３８２】
１０、１０Ｂ、１１、１２、１３、１４、１５、１５Ａ、１５Ｂ、１６、１７  情報通知装置
２０、２０Ａ、１０１０  機器
２１、２１Ａ  センサ
３０、３０Ａ、３０Ｂ、３１  表示機器
３２  提示機器
４０  ネットワーク
５０、５０Ａ  外部端末
１１０、１１１、１１２、１１２Ａ、１１３、２５０、３１０、３１１  通信部
１２０、１２１、１２２  情報収集データベース
１３０、１３１、１３２、１３３、１３３Ａ、１３３Ｂ、１３５  判断部
１３４、２３０、３２０、３２１  制御部
１４０、１４１  表示機器指定部
１４２  提示機器指定部
１５０、１５１、１５２、１５２Ａ、１５２Ｂ、１５３  生成部
１６０、２６０  時計
１７０、１７１、１７３  位置情報特定部
１７４  センサ情報取得部
１８０  パターン抽出部
１９０  集計部
２１０  電源部
２２０、３４０  入力部
２４０  記憶部
３３０、３３１  表示部
３５１、３５１ｃ、３５１ｄ、３５２、３５２ｃ、３５３、３５４、３５６、３５６ｄ、４５４  アイコン
１０００  グループ
１０２０  ホームゲートウェイ
１１００  データセンタ運営会社
１１１０、１２０３  クラウドサーバ
１２００  サービスプロバイダ
１２１０  サーバ
【図１Ａ】
2015195023.tif 000003
【図１Ｂ】
2015195023.tif 000004
【図１Ｃ】
2015195023.tif 000005
【図２Ａ】
2015195023.tif 000006
【図２Ｂ】
2015195023.tif 000007
【図３】
2015195023.tif 000008
【図４】
2015195023.tif 000009
【図５】
2015195023.tif 000010
【図６】
2015195023.tif 000011
【図７】
2015195023.tif 000012
【図８Ａ】
2015195023.tif 000013
【図８Ｂ】
2015195023.tif 000014
【図９Ａ】
2015195023.tif 000015
【図９Ｂ】
2015195023.tif 000016
【図１０】
2015195023.tif 000017
【図１１】
2015195023.tif 000018
【図１２Ａ】
2015195023.tif 000019
【図１２Ｂ】
2015195023.tif 000020
【図１３】
2015195023.tif 000021
【図１４】
2015195023.tif 000022
【図１５】
2015195023.tif 000023
【図１６】
2015195023.tif 000024
【図１７】
2015195023.tif 000025
【図１８】
2015195023.tif 000026
【図１９】
2015195023.tif 000027
【図２０】
2015195023.tif 000028
【図２１】
2015195023.tif 000029
【図２２】
2015195023.tif 000030
【図２３】
2015195023.tif 000031
【図２４】
2015195023.tif 000032
【図２５】
2015195023.tif 000033
【図２６】
2015195023.tif 000034
【図２７】
2015195023.tif 000035
【図２８】
2015195023.tif 000036
【図２９Ａ】
2015195023.tif 000037
【図２９Ｂ】
2015195023.tif 000038
【図３０】
2015195023.tif 000039
【図３１Ａ】
2015195023.tif 000040
【図３１Ｂ】
2015195023.tif 000041
【図３１Ｃ】
2015195023.tif 000042
【図３２】
2015195023.tif 000043
【図３３】
2015195023.tif 000044
【図３４】
2015195023.tif 000045
【図３５】
2015195023.tif 000046
【図３６】
2015195023.tif 000047
【図３７】
2015195023.tif 000048
【図３８】
2015195023.tif 000049
【図３９】
2015195023.tif 000050
【図４０】
2015195023.tif 000051
【図４１】
2015195023.tif 000052
【図４２】
2015195023.tif 000053
【図４３】
2015195023.tif 000054
【図４４】
2015195023.tif 000055
【図４５】
2015195023.tif 000056
【図４６】
2015195023.tif 000057
【図４７】
2015195023.tif 000058
【図４８】
2015195023.tif 000059
【図４９】
2015195023.tif 000060
【図５０】
2015195023.tif 000061
【図５１】
2015195023.tif 000062